(57)【要約】  本発明は、各人が個人関係を確立するためのウェブサイトをアクセスするポータルを提供する方法である。本方法は、各人がブース内に居て各人の写真記録をプロデュースし、各人に関する選択された人口統計学データを写真記録と相関させ、そして写真記録と人口統計学データをウェブサイトに伝送しながら、各人の写真をとるためのポータルブースを提供するステップを含む。また、本方法は、写真記録と人口統計学データを、ウェブサイトの個人アカウントに相関させるステップを含み、その結果、他の個人がウェブサイト及びアカウントにアクセスして、各人の少なくとも写真記録を閲覧することができることを含む。【選択図】図１
2010512673.tif 000002
【特許請求の範囲】
【請求項１】
パフォーマンスを記録及び送信する方法であって、
（ａ）（ｉ）前壁、後壁、前壁と後壁の間に延びる側壁、フロア、及び天井を有する内部と、（ｉｉ）前記前壁にマウントされ、少なくとも１つのブース内ライブパフォーマンスを構成するビデオ信号を生成するための高解像度デジタルカメラと、（ｉｉｉ）前記ブース内ライブパフォーマンスのオーディオレコーディングを構成するオーディオ信号を検出及び生成するためのオーディオシステムと、（ｉｖ）前記ブース内で行った前記ブース内ライブパフォーマンスと共に前記デジタルカメラにより検出される背景光を生成するため、前記後壁の少なくとも一部を覆って延びるクロマキー(chroma key)スクリーンと、（ｖ）風景背景を表す背景信号を生成するコンピュータシステムと、（ｖｉ）前記ブースから遠隔の場所にあるコンピュータ・サーバに信号を送る送受信装置と、（ｖｉｉ）前記ビデオ信号、前記オーディオ信号、及び前記背景信号を受信し、前記ビデオ信号、前記オーディオ信号、及び前記背景信号を組み込んだ前記ブース内ライブパフォーマンスの録音されたパフォーマンスを構成するパフォーマンス信号を生成して、該パフォーマンス信号を前記送受信装置に送信するためのフラッシュエンコーダーとを含むスタジオブースを提供する段階と、
（ｂ）前記ブースから遠隔にあるコンピュータ・サーバを提供する段階と、
（ｃ）前記ブース内ライブパフォーマンスを実施する段階と、
（ｄ）前記フラッシュエンコーダーを用いて前記ブース内パフォーマンスのパフォーマンス信号を生成して、前記パフォーマンス信号を前記送受信装置に送信する段階と、
（ｅ）前記送受信装置を用いて前記パフォーマンス信号を前記コンピュータ・サーバに送信して該コンピュータサーバ内に格納する段階と、
を含む方法。
【請求項２】
パフォーマンスをレコーディング及び送信する方法であって、
（ａ）（ｉ）前壁、後壁、前壁と後壁の間に延びる側壁、フロア、及び天井を有する内部と、（ｉｉ）前記前壁にマウントされ、少なくとも１つのブース内ライブパフォーマンスを構成するビデオ信号を生成するための高解像度デジタルカメラと、（ｉｉｉ）前記ブース内ライブパフォーマンスのオーディオレコーディングを構成するオーディオ信号を検出及び生成するためのオーディオシステムと、（ｉｖ）前記ブース内で行った前記ブース内ライブパフォーマンスと共に前記デジタルカメラにより検出される背景光を生成するため、前記後壁の少なくとも一部を覆って延びるクロマキー(chroma key)スクリーンと、（ｖ）風景背景を表す背景信号を生成するコンピュータシステムと、（ｖｉ）前記ブースから遠隔の場所にあるコンピュータ・サーバに信号を送る送受信装置と、（ｖｉｉ）前記ビデオ信号、前記オーディオ信号、及び前記背景信号を受信し、前記ビデオ信号、前記オーディオ信号、及び前記背景信号を組み込んだ前記ブース内ライブパフォーマンスの録音されたパフォーマンスを構成するパフォーマンス信号を生成して、該パフォーマンス信号を前記送受信装置に送信するためのフラッシュエンコーダーと、（ｖｉｉｉ）漏れ(leakage）を最小化するシステムとを含むスタジオブースを提供する段階と、
（ｂ）前記ブースから遠隔にあるコンピュータ・サーバを提供する段階と、
（ｃ）前記ブース内ライブパフォーマンスを実施する段階と、
（ｄ）前記フラッシュエンコーダーを用いて前記ブース内パフォーマンスのパフォーマンス信号を生成して、前記パフォーマンス信号を前記送受信装置に送信する段階と、
（ｅ）前記送受信装置を用いて前記パフォーマンス信号を前記コンピュータ・サーバに送信して該コンピュータサーバ内に格納する段階と、
を含む方法。
【請求項３】
パフォーマンスをレコーディング及び送信する方法であって、
（ａ）（ｉ）前壁、後壁、前壁と後壁の間に延びる側壁、フロア、及び天井を有する内部と、（ｉｉ）前記前壁にマウントされ、少なくとも１つのブース内ライブパフォーマンスを構成するビデオ信号を生成するための高解像度デジタルカメラと、（ｉｉｉ）前記ブース内ライブパフォーマンスのオーディオレコーディングを構成するオーディオ信号を検出及び生成し、ボーカル及び音楽伴奏部分を選択されたダイナミックレンジに自動調整するためのオーディオシステムと、（ｉｖ）前記ブース内で行った前記ブース内ライブパフォーマンスと共に前記デジタルカメラにより検出される背景光を生成するため、前記後壁の少なくとも一部を覆って延びるクロマキー(chroma key)スクリーンと、（ｖ）風景背景を表す背景信号を生成するコンピュータシステムと、（ｖｉ）前記ブースから遠隔の場所にあるコンピュータ・サーバに信号を送る送受信装置と、（ｖｉｉ）前記ビデオ信号、前記オーディオ信号、及び前記背景信号を受信し、前記ビデオ信号、前記オーディオ信号、及び前記背景信号を組み込んだ前記ブース内ライブパフォーマンスの録音されたパフォーマンスを構成するパフォーマンス信号を生成して、該パフォーマンス信号を前記送受信装置に送信するためのフラッシュエンコーダーと、を含むスタジオブースを提供する段階と、
（ｂ）前記ブースから遠隔にあるコンピュータ・サーバを提供する段階と、
（ｃ）前記ブース内ライブパフォーマンスを実施する段階と、
（ｄ）前記フラッシュエンコーダーを用いて前記ブース内パフォーマンスのパフォーマンス信号を生成して、前記パフォーマンス信号を前記送受信装置に送信する段階と、
（ｅ）前記送受信装置を用いて前記パフォーマンス信号を前記コンピュータ・サーバに送信して該コンピュータ・サーバ内に格納する段階と、
を含む方法。
【発明の詳細な説明】
【技術分野】
【０００１】
（関連出願）
本願は、下記の一部継続出願である：
１．２００７年５月３１日に提出された米国特許出願番号１１／８０８，０００、
２．２００７年５月３１日に提出された米国特許出願番号１１／８０７，９９８、
３．２００７年５月３１日に提出された米国特許出願番号１１／８０９，２１９、
４．２００７年５月３１日に提出された米国特許出願番号１１／８０９，２１８、及び
５．２００７年５月３１日に提出された米国特許出願番号１１／８０９，２１７。
【０００２】
上記２００７年５月３１日に提出された米国特許出願番号１１／８０８，０００は、下記の一部継続出願である：
１．２００６年１２月２９日に提出された米国特許出願番号１１／６４８，８４８、
２．２００６年１２月２９日に提出された米国特許出願番号１１／６４８，８４７、
３．２００６年１２月２９日に提出された米国特許出願番号１１／６４８，８４６、及び
４．２００６年１２月２９日に提出された米国特許出願番号１１／６４８，８４５。
【０００３】
上記２００７年５月３１日に提出された米国特許出願番号１１／８０７，９９８は、下記の一部継続出願である：
１．２００６年１２月２９日に提出された米国特許出願番号１１／６４８，８４８、
２．２００６年１２月２９日に提出された米国特許出願番号１１／６４８，８４７、
３．２００６年１２月２９日に提出された米国特許出願番号１１／６４８，８４６、及び
４．２００６年１２月２９日に提出された米国特許出願番号１１／６４８，８４５。
【０００４】
上記２００７年５月３１日に提出された米国特許出願番号１１／８０９，２１９は、下記の一部継続出願である：
１．２００６年１２月２９日に提出された米国特許出願番号１１／６４８，８４８、
２．２００６年１２月２９日に提出された米国特許出願番号１１／６４８，８４７、
３．２００６年１２月２９日に提出された米国特許出願番号１１／６４８，８４６、及び
４．２００６年１２月２９日に提出された米国特許出願番号１１／６４８，８４５。
【０００５】
上記２００７年５月３１日に提出された米国特許出願番号１１／８０９，２１８は、下記の一部継続出願である：
１．２００６年１２月２９日に提出された米国特許出願番号１１／６４８，８４８、
２．２００６年１２月２９日に提出された米国特許出願番号１１／６４８，８４７、
３．２００６年１２月２９日に提出された米国特許出願番号１１／６４８，８４６、及び
４．２００６年１２月２９日に提出された米国特許出願番号１１／６４８，８４５。
【０００６】
上記２００７年５月３１日に提出された米国特許出願番号１１／８０９，２１７は、下記の一部継続出願である：
１．２００６年１２月２９日に提出された米国特許出願番号１１／６４８，８４８、
２．２００６年１２月２９日に提出された米国特許出願番号１１／６４８，８４７、
３．２００６年１２月２９日に提出された米国特許出願番号１１／６４８，８４６、及び
４．２００６年１２月２９日に提出された米国特許出願番号１１／６４８，８４５。
【０００７】
上記２００６年１２月２９日に提出された米国特許出願番号１１／６４８，８４８は、下記の一部継続出願である：
１．２００６年１１月２２日に提出された米国特許出願番号１１／６０４，００９、及び
２．２００６年１１月２２日に提出された米国特許出願番号１１／６０４，００８。
【０００８】
上記２００６年１２月２９日に提出された米国特許出願番号１１／６４８，８４７は、下記の一部継続出願である：
１．２００６年１１月２２日に提出された米国特許出願番号１１／６０４，００９、及び
２．２００６年１１月２２日に提出された米国特許出願番号１１／６０４，００８。
【０００９】
上記２００６年１２月２９日に提出された米国特許出願番号１１／６４８，８４６は、下記の一部継続出願である：
１．２００６年１１月２２日に提出された米国特許出願番号１１／６０４，００９、及び
２．２００６年１１月２２日に提出された米国特許出願番号１１／６０４，００８。
【００１０】
上記２００６年１２月２９日に提出された米国特許出願番号１１／６４８，８４５は、下記の一部継続出願である：
１．２００６年１１月２２日に提出された米国特許出願番号１１／６０４，００９、及び
２．２００６年１１月２２日に提出された米国特許出願番号１１／６０４，００８。
【００１１】
上記２００６年１１月２２日に提出された米国特許出願番号１１／６０４，００９は、下記の一部継続出願である：
１．２００６年４月５日に提出された米国仮特許出願番号６０／７８９，５０９の利益を主張すると共に、２００６年８月２４日に提出された米国仮特許出願番号６０／８３９，９６７の利益を主張する、２００６年９月２２日に提出された米国特許出願番号１１／５２６，２７７、
２．２００６年４月５日に提出された米国仮特許出願番号６０／７８９，５０９の利益を主張すると共に、２００６年８月２４日に提出された米国仮特許出願番号６０／８３９，９６７の利益を主張する、２００６年９月２２日に提出された米国特許出願番号１１／５２６，２７６、
３．２００６年４月５日に提出された米国仮特許出願番号６０／７８９，５０９の利益を主張すると共に、２００６年８月２４日に提出された米国仮特許出願番号６０／８３９，９６７の利益を主張する、２００６年９月２２日に提出された米国特許出願番号１１／５２６，２７４、
４．２００６年４月５日に提出された米国仮特許出願番号６０／７８９，５０９の利益を主張すると共に、２００６年８月２４日に提出された米国仮特許出願番号６０／８３９，９６７の利益を主張する、２００６年９月２２日に提出された米国特許出願番号１１／５２６，２７３、
５．２００６年４月５日に提出された米国仮特許出願番号６０／７８９，５０９の利益を主張すると共に、２００６年８月２４日に提出された米国仮特許出願番号６０／８３９，９６７の利益を主張する、２００６年９月２２日に提出された米国特許出願番号１１／５２６，２７２、及び
６．２００６年４月５日に提出された米国仮特許出願番号６０／７８９，５０９の利益を主張すると共に、２００６年８月２４日に提出された米国仮特許出願番号６０／８３９，９６７の利益を主張する、２００６年９月２２日に提出された米国特許出願番号１１／５２６，２７１。
【００１２】
上記２００６年１１月２２日に提出された米国特許出願番号１１／６０４，００８は、下記の一部継続出願である：
１．２００６年４月５日に提出された米国仮特許出願番号６０／７８９，５０９の利益を主張すると共に、２００６年８月２４日に提出された米国仮特許出願番号６０／８３９，９６７の利益を主張する、２００６年９月２２日に提出された米国特許出願番号１１／５２６，２７７、
２．２００６年４月５日に提出された米国仮特許出願番号６０／７８９，５０９の利益を主張すると共に、２００６年８月２４日に提出された米国仮特許出願番号６０／８３９，９６７の利益を主張する、２００６年９月２２日に提出された米国特許出願番号１１／５２６，２７６、
３．２００６年４月５日に提出された米国仮特許出願番号６０／７８９，５０９の利益を主張すると共に、２００６年８月２４日に提出された米国仮特許出願番号６０／８３９，９６７の利益を主張する、２００６年９月２２日に提出された米国特許出願番号１１／５２６，２７４、
４．２００６年４月５日に提出された米国仮特許出願番号６０／７８９，５０９の利益を主張すると共に、２００６年８月２４日に提出された米国仮特許出願番号６０／８３９，９６７の利益を主張する、２００６年９月２２日に提出された米国特許出願番号１１／５２６，２７３、
５．２００６年４月５日に提出された米国仮特許出願番号６０／７８９，５０９の利益を主張すると共に、２００６年８月２４日に提出された米国仮特許出願番号６０／８３９，９６７の利益を主張する、２００６年９月２２日に提出された米国特許出願番号１１／５２６，２７２、及び
６．２００６年４月５日に提出された米国仮特許出願番号６０／７８９，５０９の利益を主張すると共に、２００６年８月２４日に提出された米国仮特許出願番号６０／８３９，９６７の利益を主張する、２００６年９月２２日に提出された米国特許出願番号１１／５２６，２７１。
【００１３】
本発明は、コンテストを実施する方法及び装置に関連する。特に、本発明は、互角の競技場で競技者が参加することを保証するために、類似するクオリティをレコーディング機器を用いて、各人が複数の異なる場所でコンテストのパフォーマンス(上演、演奏、演技)を記録することができるようにするためのコンテスト方法論に関係する。
【００１４】
また、本発明は、様々に異なるパフォーマンスを記録し、インターネットやビデオ会議やそのほかの方法を介してパフォーマンスを伝送すると共に、ブース(booth)内のサイトでそのパフォーマンスの記録を作るように構成された、パブリックアクセスが可能な場所にあるブースに関係する。
また、本発明は、ビデオ会議を介して処方箋（prescription）の更新を容易に行なえるパブリックな場所に関係する。
また、本発明は、守秘義務やプライバシー性や著作権を示すことによって、顧客に対しての商業上の実行可能性及び記録ブースの魅力を高めることに関係する。
また、本発明は、ブース使用の記録を簡略化することによって、パフォーマンスを記録する処理を合理化し且つブース内に顧客が居なければならない時間を最少化するパフォーマンスのＤＶＤをプロデュースすることによって、顧客のパフォーマンスを高品質に記録できるようにプロデュースすることによって、顧客が特定のパフォーマンスのコピーを事あるごとに広めることができるようにすることによって、顧客に対しての商業上の実行可能性及びレコーディングブースの魅力を高めることに関係する。
【００１５】
またさらに、本発明は、広告主の製品やサービスの顧客に対する露出性を飛躍的に増加させることのできるスーパーネットワークを生成するトラフィックに関係する。
また、本発明は、コンテストを実施するエンティティ（主体）や、様々な他のパフォーマンスを記録するブースを用いる主体のパフォーマンス記録ブースを使用しながら、個々のニーズにあわせてフレキシビリティ性を増大させるために、スタジオブースのパフォーマンスで風景の背景の一体化が行なえる方法及び装置に関係する。
【００１６】
また、本発明は、パフォーマンスをフォーマット化し、スタジオブースにおけるパフォーマンスを容易に使用できる方法及び装置に関係する。
また、本発明は、風景又はポートレート配置のパフォーマンスを、スタジオ内の限られた空間で容易にレコーディングできる方法及び装置に関係する。
また、本発明は、有効カード、他の“ハード”カード、又は各人がスタジオブースを使用するために登録するときに発行されるチップに関係する。前記チップは、（バーコード又はカード内又はカード上のデザイン若しくはデバイスを伝える他のデータにおいて、）スタジオブースに入り、実施し、フォーマット化されたパフォーマンスを記録する人にとっても、そしてウェブサイトで彼又は彼女のパフォーマンスのコピーにアクセスする人にとっても必要な情報を含んでいる。
【００１７】
また、本発明は、音声データ及び/又はビデオデータを前もってＤＶＤに出力することによって、スタジオブース内の人間が実施するパフォーマンスを記録するのに欠陥ＤＶＤが使用されるであろう可能性を低減し、それゆえ、彼又は彼女のパフォーマンスの記録を含むＤＶＤを受信するためにほんの僅かな時間だけ待っていればよい可能性を増大させる方法及び装置に関係する。
【００１８】
また、本発明は、ブースの連続使用を容易にし、且つブースを使用するために登録している人達におけるスケジュールの重なりを最小化するよう、スタジオの使用を管理する方法及び装置に関係する。そして、そのような管理は、ブース記録をした人達にブースにアクセスすることを制限させること、各人がブースを使用するために登録するとき特定のブースが予約されていることを要求すること、特定の日時がブース使用のために予約されていたときブース内のコンピュータ制御システムに通知すること、他の選択されたスケジュール戦略を含む。
【００１９】
Chackerによる米国特許番号６，５７８，００８は、タレントビジネスがオンラインで行なわれ、公衆の人々が多くの知らないアーティストに投票することができる方法及びシステムを開示する。このタレントビジネスは、公衆投票に左右される選択されたアーティストと契約を結ぶことで始まる。Chackerは、各アーティストに音声又はビデオファイルを入手することを要求する。そのファイルはウェブサイトにアップロードされる。音声及びビデオの記録機器は高価かもしれない。というのは、記録機器に対するアクセスを入手することに比例してコスト高となり、その機器を操作するのに資格のある音声技術者を要するからである。その結果、記録機器はアーティストのタレント性を正確に反映していない記録を生成してしまうかもしれない。
【００２０】
Freyらによる米国特許番号６，３６９，９０８は、ユーザがキャプチャーしたビデオイメージを記録すること、そしてそれを電子記録媒体にコピーすることを容易にするとともに、ユーザがビデオイメージを所望の場所にｅメイルすることを容易にするシステムを開示する。
【００２１】
Hoganらによる米国特許番号５，８７２，９２２は、Penaによる米国特許番号６，２９２，２１１がそうであるように、ビデオ会議システムを開示する。
【００２２】
Peltz文献（米国特許番号６，２０５，７１６）における変調式の携帯ビデオ会議ブースは、グラフィックス・ドキュメントカメラ、ビデオカセットレコーダー、スライドプロジェクター、ファックス機器、プリンター、パーソナルコンピュータから、そして電子伝票、スケジューリングソフトウェア、イメージ・管理ドキュメントイメージ・レコードキーピング、ビデオ転写を配信する必要のあるキャリアを実行し、且つ双方向のビデオ会議セッション又はミーティングを効率的に実施するためのソフトウェアのホストから広がる多様な機器を含む。
Peltzのブースがビデオ会議の患者に医者と一緒に使用されるとき、その患者は薬又はホメオパシー製剤を関する遵守を話し合い、そして処方箋がすでに書かれているかどうかを話し合うことができる。所望ならば、ブースは医療機器を含むことができる。例えば、血圧モニタ、歯科検査カメラ、皮膚顕微鏡、心電検査システム、脳波計システム、噴門部スコープ(fundoscope)、静脈内点滴ポンプ、顕微鏡、オクトスコープ、パルス酸素濃度計、胃カメラ、気管支カメラ、及びビデオマイクロスコープである。
【００２３】
Chuらによる米国特許番号６，０８６，３８０は、カラオケの歌詞の表示のために選択され且つ提供される背景シーンの選択が可能なセルフ操作型カラオケレコーディングブースを説明する。ビデオカメラはユーザの目線レベルに位置づけられる。コンピュータに接続されるビデオ表示モニタによって、メッセージ及びビデオ表示がユーザに提供される。ユーザのパフォーマンスはＣＤ又はビデオカセット上に記録されることが可能である。ブースは、公衆の場所又はカラオケパブ、ショッピングモール、レストラン、バーなどの他の場所に置かれる。
【００２４】
Ulateらによる２００５年５月５日に提出された米国特許出願２００５/００９７６１３は、プライベートな場所又はショッピングモールなどの公衆の場所で用いられるレコーディングブースを開示する。ブースで記録されるパフォーマンスは、ウェブサイト又は閲覧される他の場所に送られ、及び/又は公衆によって、タレントエージェンシーによって、エンターテイメント会社によって、レコーディングスタジオによって、将来の雇用主などによって評価される。レコーディングを見る人又は会社がレコーディング好きであれば、その人又は会社はパーフォーマー（演奏者、歌手)を雇うかもしれない。
【００２５】
Jeanによる米国特許出願２００３/００２７１２０は、中央コンピュータ及びサーバーが複数の独立したカラオケ演奏者の部屋をサービスするカラオケ娯楽システムを開示する。この娯楽システムは、遠隔のライブラリから伝送されるビデオ/オーディオを使用することができる。
【００２６】
Wallickらによる米国特許出願２００６/０００５１３６は、複数の入力の何れかを選択し、その選択された入力を合成ビデオストリームに組み入れるように装備された仮想ビデオスタジオを開示する。
【００２７】
米国特許出願２００３/００４９５９１のマルチメディア製品及びレコーディングシステムは、ビデオセグメントを記録されたリアルタイムのビデオセグメントでインターリーブする。
【００２８】
米国特許出願２００５/００１３５９４は、各人が小売店（キオスク）でビデオレコードを作るシステムを開示する。ビデオ記録は、コンピュータネットワークを介して生産スタジオに伝送される。ビデオ記録は、特定のイベントで再生されるためにダウンロードされる統合型ビデオプレゼンテーションへ組み込まれる。
【００２９】
米国特許出願２００３/０１１５０７７は、ｅメイルを広告と一緒に準備し、次にそのｅメイルと広告を伝送する広告システムを開示する。
【００３０】
米国特許出願２００５/００７６３７６は、ビデオ娯楽・サテライト・ネットワークシステムを開示する。このシステムは、互いに通信する複数の独立したビデオ・娯楽・サテライトシステムを含む。
【００３１】
Allonの特許（米国特許番号４，７３５，４７４）は、ブースを占有する各人のホログラム(hologram)を生成するブースを開示する。
国際特許出願のＰＣＴ/ＡＵ２００５/０００９４９は、ｅメイルによってモニタされるギャンブルイベントを開示する。
【００３２】
上述した引用文献に示されるように、公衆においてブースを使用してビデオ又はオーディオのパフォーマンスを記録すること、そのパフォーマンスのＤＶＤ又はオーディオコピーを作ること、そのパフォーマンスをウェブサイトに流すこと、そのパフォーマンスをｅメイルによって伝送すること、公衆やタレントスカウトや他の人がインターネット又は他の方法を介してパフォーマンスをみて評価できるようにすること、医者又は他の所望の人とともにビデオ会議を実施することは、周知のことである。
【００３３】
ここで用いられ、且つ通常に理解されるように、コンテストは、以下の特徴の少なくとも１つ、通常は殆どか全てを含むものである。
コンテストは、
・明確な終了又は決算する日を有し、これにより各申込者がエントリを提出しなければならない。
・勝者を有する。これは、しばしば格付けシステムの場合ではない。膨大な求職者が、雇用者になりそうな人、タレントスカウト、又は格付けされる音楽会社に紹介される。そして、雇用者やタレントスカウトや音楽会社は、求職者のいずれかを選択しないこともある。勝者が存在する保証はない。
・勝者に特別な報酬を示す。典型的には金銭報酬又は他の資産を含む。
・コンテストは、決算する日及び報酬がある参加者に対して提示するためにコールされるのが普通である。
・各プレーヤーのための平等な条件の下に実施され、その結果、各プレーヤーは勝利するのに等しいチャンスをもつ。
・記述されたルールの集合が提供される。
・コンテストのエントリを評価するために用いられるガイドラインが示される。
・記述された法的な権利放棄、要求、又はガイドラインが示される。
【００３４】
コンテストは単なる格付けではない。格付けの一例は、ブルーブック(blue book)の値を参照することで車の価値を格付けすることである。他の例としては、アスリートのスピード、敏しょう性、力などを決定することによって得られるアスリートに関する格付けである。そのようなアスリート格付けは、大学や専門スポーツチームによって定期的に実行されるものである。格付けの更なる一例は、求職者の雇用主が申込者と面接し、履歴書を閲覧した後で行なう格付けである。その一方、コンテストは格付けに通常は無関係な特有の特徴を有している。スタジオブースが格付けされる記録されたパフォーマンスを生み出すのに使用されながら、コンテストを実施するために仕立てられたスタジオブースシステムが、広範囲な興味及び参加を生み出すことにおいて非常に効率的であろうと信じられている。
【００３５】
したがって、コンテスト又は格付け又はその他において、記録されたパフォーマンスをプロデュースするのに用いられ得る改良されたスタジオブースシステムを提供することが非常に望ましい。それゆえ、スタジオレコーディング場の改良されたシステムを提供することが、本発明の主たる目的である。本発明の他の目的は、容易にアクセス可能な分散型レコーディングスタジオを用いるコンテストシステムを提供することである。本発明の更なる目的は、各人のパフォーマンス記録をプロデュースするために、等価な機器をそれぞれ用いるスタジオブースのネットワークを提供することである。これら及び他の特有の目的及び本発明の効果は、以下の詳細な説明及び図面から当業者であれば明らかであろう。
【図面の簡単な説明】
【００３６】
【図１】本発明の原理に従って実施されるスタジオブースを示した概略図である。
【図２】詳細な構成を表す、図１のスタジオブースの後方を描画した図である。
【図３】図１のスタジオブースの左側を描画した図である。
【図４】図１のスタジオブースの右側を描画した図である。
【図５】図１のスタジオブースで用いられる制御システムあらわすブロック図である。
【図６】図１のスタジオブースの内部及び外部で用いられる機器あらわすブロック図である。
【図７】各人が有効カードを挿入することによってブースを有効にした後、スタジオブース内部の各人に対する連続したやり取りを示した図である。
【図８】各人が有効カードを挿入することによってブースを有効にした後、スタジオブース内部の各人に対す別のやり取りを示した図である。
【図９】パフォーマンスを記録するためスタジオブースを用いて支払いをした人のために印刷された有効カードの正面図である。
【図１０】図９の有効カードの背面図である。
【図１１】スタジオブースの外に立ち、そしてスタジオブースを使用するために登録している人に対して、一連のやり取りを示す図である。
【図１２】図１１のやり取りに引き続き、スタジオブースの外に立ち、そしてスタジオブースを使用するために登録している人に向けられる一連のやり取りを示す図である。
【図１３】図１２のやり取りに引き続き、スタジオブースの外に立ち、そしてスタジオブースを使用するために登録している人に向けられる一連のやり取りを示す図である。
【図１４】図１３のやり取りに引き続き、スタジオブースの外に立ち、そしてスタジオブースを使用するために登録している人に向けられる一連のやり取りを示す図である。
【図１５】スタジオブース内の一組のディスプレイスクリーン、有効カード、コントロール、ジョイスティック、カメラとの間の操作関係を表す図である。
【図１６】スタジオブース内のディスプレイスクリーンの前方図であり、スタジオブース内のカメラのズームをあらわす。
【図１７】２つのスタジオブース間でのビデオ会議で処方箋の調剤を示す図である。
【図１８】パーティ間の個人的関係を確立するために用いられるウェブサイトへのアクセスポータルとして、本発明のスタジオブースを使用することを示す図である。
【図１９】本発明のスタジオ又はレコーディングブースの使用に関係する秘密所有のフローチャートである。
【図２０】本発明の所有の秘密性の実施例において最初のフェーズを示す図である。
【図２１】図２０の所有の秘密性の実施例において次のフェーズを示す図である。
【図２２】レコーディングブースにおいて起こりそうなパフォーマンス後の補正を示した図である。
【図２３】図２０の所有の秘密性の実施例において、別のフェーズを示す図である。
【図２４】スタジオブースの外に立ち、そしてブースを用いてゲームの場に参加するために登録している人に対して、一連のやり取りを示す図である。
【図２５】図２４のやり取りに引き続き、スタジオブースの外に立ち、そしてブースを用いてゲームの場に参加するために登録している人に向けられた一連のやり取りを示す図である。
【図２６】図２５のやり取りに引き続き、スタジオブースの外に立ち、そしてブースを用いてゲームの場に参加するために登録している人に向けられた一連のやり取りを示す図である。
【図２７】ゲームの場に参加するためにスタジオブースを用いて支払いをした人のために印刷された有効カードの正面図である。
【図２８】図２７の有効カードの背面図である。
【図２９】各人がブース内のカード読み取り機器に有効カードを挿入することによってブースを有効にした後、ゲームをプレイするためにスタジオブース内部の各人に対する連続したやり取りを示した図である。
【図３０】各人がゲーム場に参加するためブースを用いるとき、スタジオブース内の一組のディスプレイスクリーン、有効カード、コントロール、ジョイスティック、カメラ、指紋読み取り機との間の操作関係を表す図である。
【図３１】パフォーマンスがスタジオブースにおいて実施され且つ記録される前に、各人のパフォーマンスに関連する広告主に利用可能なネットワークノードを示した図である。
【図３２】各人がスタジオブースでパフォーマンスを記録しているとき、広告主に利用可能なネットワークノードを示した図である。
【図３３】パフォーマンスがスタジオブースにおいて記録された後に、各人のパフォーマンスに関連する広告主に利用可能となりそうなネットワークノードを示した図である。
【図３４】各人がスタジオブースでパフォーマンスを実施し且つ記録している間、広告に利用できるスクリーンを示した図である。
【図３５】各人がスタジオブースを用いるために登録しているときであり、且つ各人がパフォーマンスを実施し且つ記録するためにスタジオブースを実際に使用するとき、広告に利用できる有効カードを示した図である。
【図３６】各人がスタジオブースを用いるために記録している間、広告に利用できるスクリーンを示した図である。
【図３７】スタジオブース内部の斜視図の一部であり、景観の背景と、各人の音声・視覚的な記録とを統合化することにおいて、彩度キースクリーンを使用して統合化された記録をプロデュースすることを示した図である。
【図３８】スタジオブース内のディスプレイスクリーンを表す正面図であり、記録セッションの間、各人が閲覧しそしてリアルタイムでスタジオブースがプロデュースした統合記録を連続的に描画したものである。
【図３９】パフォーマンスがウェブサイトに伝送された後で、スタジオブースがプロデュースした記録パフォーマンスがどのようにしてパフォーマンスのオーナー（或いはオーナーのエージェント、ライセンシーなど）による複数の機会で用いられるかを示す図である。
【図４０】スタジオブースで用いられるカメラシステムの正面図である。
【図４１】図４０のカメラシステムの前方図であり、そのオペレーションのモードを示す。
【図４２】図４０のカメラの詳細な構成を示す側面図である。
【図４３】図４０のカメラシステムの詳細な構成を示す分解図である。
【図４４】スタジオブースのオーナー又はオペレータに関するウェブサイトのホームページのモデルを示す図である。
【図４５】スタジオブース内で用いられるディスプレイスクリーンの前方図であり、カメラ信号が調整されなかった場合に出現するであろう表示を描画している。
【図４６】スタジオブース内で記録されたパフォーマンスを含むＤＶＤをプロデュースするための音声及び視覚信号を処理する自動システムを示したブロックフロー図である。
【図４７】スタジオブース内の各人及びスタジオブースから離れたインタビュアーを含むインタビューをブロードキャストするシステムを示したブロックフロー図である。
【図４８】パフォーマンスのスタジオブースから、遠隔モバイルメディア又は他に指定された宛先へ伝送することを示したブロックフロー図である。
【図４９】遠隔モバイルメディアから、スタジオブース又は他に選択された宛先へ伝送することを示したブロックフロー図である。
【図５０】補助音効果の顧客によって、スタジオブース内の選択を示すブロックフロー図である。
【図５１】スタジオブースの床の正面図であり、最小のカメラ距離及び視線の水平フィールドを示す。
【図５２】ブースの設置面積を示す正面図である。
【図５３】ブースの設置面積を示す正面図である。
【図５４】ブースの設置面積を示す正面図である。
【発明を実施するための形態】
【００３７】
簡潔に言えば、本発明によれば、スタジオを有するビデオコミュニケーションのための双方的個人サービスプロバイダーが提供される。そのスタジオは少なくとも１つのパフォーマンスを記録する音声及びビデオレコーダーを含み、これにより記録されたパフォーマンスを作ることと、記録されたパフォーマンスを格納する少なくとも１つのコンピュータ・サーバーを含む。コンピュータ・サーバーは、記録されたパフォーマンスを試写（試聴）するための音声及びビデオプレーヤー、及び記録されたパフォーマンスに関係するスタジオユーザからの入力情報を受信するためのデータベースを備える。また、スタジオは、スタジオオペレータが維持するスタジオサイトへ記録されたパフォーマンスを伝送するための通信コネクションを有し、記録されたパフォーマンスは、カテゴリーに分類され、サイトは複数の閲覧者がその記録されたパフォーマンスをみることができるようになっている。
【００３８】
情報を求める者は、前記入力情報をクエリーすることができる。記録されたパフォーマンスは、スタジオで実演されたカラオケ型のパフォーマンスを含む。スタジオサイトは、ウェブサイトを含むことができる。スタジオサイト上のメニューは、題目（主題）をリストし、且つメインカテゴリとサブカテゴリーを予め設定するように提供される。双方向のサービスプロバイダーはビデオ会議を行なうことができる。双方向のサービスプロバイダーは、さらに閲覧者が記憶されたパフォーマンスを格付けすることを可能にする格付け手段を有する。
【００３９】
本発明の他の実施形態では、スタジオサイトのスタジオユーザのパフォーマンスを配置する方法を提供する。本方法は、公衆の場にスタジオを提供するステップを含み、そこでのスタジオは音声及びビデオ記憶できること、スタジオサーバー上のスタジオにスタジオユーザのパフォーマンスを記録して記録パフォーマンスを作ること、データベース内の題目（主題）によって記録されたパフォーマンスをカテゴリー分類すること、スタジオオペレータによって維持されるスタジオサイトからアクセス可能な記録パフォーマンスを作ることを含む。スタジオは、実質的には防音装置が備え付けられている。スタジオユーザは、パフォーマンスを記録する前又は後に、スタジオオペレータとともに独占的なエージェントとの接触に同意することができる。記録パフォーマンスは、少なくとも２つの分散場所に存在する少なくとも２つのスタジオユーザを含み得る。
【００４０】
本発明の別の実施形態において、タレントをリクルートする方法が提供される。本方法は、パフォーマンスを記録するため、少なくとも１つのスタジオユーザのために公衆の場にスタジオを提供すること、スタジオサーバー上のスタジオでパフォーマンスを記録して記録パフォーマンスを作ること、その記録パフォーマンスを情報を求める人に伝送することを含む。スタジオユーザは、人口統計学上のデータを提供することができる。タレント希望者はこの人口統計学データにアクセスすることが許可される。人口統計学上のデータはタレント希望者に伝送され得る。公衆のメンバーによって或いは他の希望するパーティによって、ビデオを格付けできる。
【００４１】
更に、本発明の別の実施形態において、少なくとも１つの情報希望者に情報を配信する装置が提供される。この装置は、少なくとも２つのスタジオブースを有し、各スタジオブースは音声及びビデオ記録機器を備えて公衆がアクセスできる場所に配置されている。そして、スタジオサイトは各スタジオブースに接続され、複数のスタジオユーザはパフォーマンスをアップロードするために複数のスタジオブースの一つにアクセスすることができる。各スタジオブースはさらに少なくとも１つのサーバーを有する。スタジオサイトはウェブサイトを含むことができる。少なくとも２つのスタジオブースは、異なる地理的位置に配置され得る。
【００４２】
更に、本発明の別の実施形態において、コンテストを実施する装置が提供され、勝者を選択するために各人の記録パフォーマンスが閲覧される。この装置は、記録機器及び登録ステーションを含む少なくとも１つの記録ブースを含む。記録機器は、少なくとも１人のパフォーマンスのビデオ部分を写真にしてビデオ信号を生成する少なくとも１つのカメラと、前記各人のパフォーマンスのビデオ部分をセンシングして音声信号を生成する少なくとも１つのマイクと、光源と、カメラ及びマイクで生成したビデオ及び音声信号を記録し且つ前記各人によって記録パフォーマンスを生成するためのパフォーマンス装置とを含む。
登録ステーションは、コンテストに参加する各人に関する情報を入力し、ブース内の記録セッションを有効にするようコントロールカードをプロデュースすること、そして、コンテストルールを示すことを各人に許可する。また、本装置は、コンテストの勝者を選択するため、ブースが生成する記録パフォーマンスを閲覧するための機器を有する。記録パフォーマンスは、各人の写真又はビデオを含むことができる。
【００４３】
更に、本発明の別の実施形態において、コンテストを実施する改良された装置を提供し、各人の記録パフォーマンスが勝者を選択するために閲覧される。この装置は、少なくとも１つの記録ブースを含む。記録機器は、少なくとも１人のパフォーマンスのビデオ部分を写真にしてビデオ信号を生成する少なくとも１つのカメラと、前記各人のパフォーマンスのビデオ部分をセンシングして音声信号を生成する少なくとも１つのマイクと、光源と、カメラ及びマイクで生成したビデオ及び音声信号を記録し且つ前記各人によって記録パフォーマンスを生成するためのパフォーマンス装置と、記録パフォーマンスの各人の所有権及び、各人のパフォーマンスの秘密性による制御を示しながら各人が閲覧できるディスプレイとを含む。
【００４４】
更に、本発明の別の実施形態において、ゲーム場に参加するための装置が提供される。本装置は、ビデオ会議機器をそれぞれに含む複数の記録ブースであって、ブース及びブースから遠隔地にあるカジノとの間のやり取りをして且つブース内にある各人をみるための少なくとも１つのカメラを含む記録ブースと、各人のスピーチをセンシングするための少なくとも１つのマイクと、カジノ従業員の画像を表示するための少なくとも１つのディスプレイ・スクリーンと、カジノ従業員の音声を生成するための少なくとも１つのスピーカーと、ブースとカジノ間の信号を伝送するための機器とを含む。また、記録ブースは各人のＩＤを確認する機器を含む。
【００４５】
本発明の他の実施形態において、パフォーマンスを記録する改良されたシステムが提供される。本システムは、スタジオで実施される少なくとも１つの選択されたパフォーマンスをあらわす視聴覚信号を検出・生成するための音声及びビデオシステムと、風景の背景をあらわす信号を生成するコンピュータシステムと、記録パフォーマンスを作るために背景信号と視聴覚信号とを統合するシステムとを備えたスタジオを有する。パフォーマンスは、フォーマット化されたパフォーマンスとすることができる。スタジオブースは異なるカテゴリーのパフォーマンスをリスト化することができる。スタジオブースでのメニューは、ユーザ選択されたパフォーマンスカテゴリーを許可する。風景の背景は、地理的な配置及び所望の内容を含む少なくとも１つの組に基づいて選択される。記録パフォーマンスは、少なくとも１つの背景を含む予め定義された風景リストから選択された背景を含まなければならないかもしれない。記録パフォーマンスは、コンテストを含むパフォーマンスカテゴリー内のエントリのために存在することがある。記録パフォーマンスは、個人的関係のウェブサイトに伝送されたパフォーマンスを含むパフォーマンスカテゴリー内のエントリのために存在することがある。記録パフォーマンスは、初期エントリのためのポータル及び個人的関係のウェブサイト上での登録を含むパフォーマンスカテゴリー内のエントリのために存在することがある。記録パフォーマンスは、雇用の申込みのために使用され得る。
【００４６】
風景の背景は、スタジオから離れた場所にあり、且つ選択されたパフォーマンスが行なわれている間の呼び出しのために格納できる。風景の背景は、スタジオブース内の選択されたパフォーマンス間の呼び出しのために、スタジオブースから離れた場所に格納できる。スタジオは、スタジオ内の彩度クロマキーのスチール絵キースクリーンを含み、選択されたパフォーマンスと一緒に視聴覚システムによって検出された背景光をプロデュースすることもできる。風景の背景は、スタジオ内の選択されたパフォーマンスの間の呼び出しのためにスタジオで格納される。クロマキースクリーンは、複数の反射ガラス玉を含み得る。クロマキースクリーンは、緑の物質から構成され得る。スタジオはブースを含み、システムは互いに離れて位置する複数のブースを含むことができる。システムは記録されたパフォーマンスを受信するネットワークを含む。ネットワークは、遠隔にある複数のスタジオブースを含むマルチノードと、少なくとも記録パフォーマンスをノードで受信する複数の受信機器とを有する。
【００４７】
システムは、記録されたパフォーマンスの所有権及びその記録されたパフォーマンスの秘密性のコントロールを示すブース内のディスプレイを含むことができる。システムは、背景信号及び視聴覚信号を自動的に統合し、記録されたパフォーマンスを含むＤＶＤをプロデュースする。音声及びビデオシステムは、スタジオ内の各人の風景絵をプロデュースする第１の操作位置と、スタジオ内の各人のポートレート絵をプロデュースする第２の操作位置との間を回転できるカメラを含む。
【００４８】
本発明の他の実施形態において、パフォーマンスを記録するための改善された方法が提供される。本方法は、複数の異なる種類のパフォーマンスを選択すること、そのパフォーマンスのそれぞれについて少なくとも１つの関連する風景の背景で呼び出すことを選択し且つ記録すること、スタジオ内で実施されるパフォーマンスをあらわす視聴覚信号を検出し生成するために音声及びビデオシステムを含むスタジオブースを少なくとも１つ提供すること、風景の背景をあらわす背景信号を生成するコンピュータシステムを含むこと、記録パフォーマンスを作るための背景信号及び音声−ビデオ信号を統合するコントロールシステムを含むこと、ブース内のパフォーマンスの一つを実施すること、音声及びビデオシステムを備えたブース内でパフォーマンスの一つを検出すること、パフォーマンスの一つをあらわす音声及びビデオ信号を生成すること、コンピュータシステムを備えたブース内でパフォーマンスの一つに割当てられた風景の背景をあらわす背景信号を生成すること、ブース内のコントロールシステムによって背景信号及び音声−ビデオ信号を統合して統合パフォーマンスを作ることを含む。
【００４９】
パフォーマンスはそれぞれフォーマット化される。パフォーマンスのそれぞれは、異なる風景の背景を有する。パフォーマンスの異なるカテゴリーは、スタジオブースでのメニューにリストされ、パフォーマンスのカテゴリーはメニューから選択され、ブース内で実施されるパフォーマンスはメニューから選択されたパフォーマンスのカテゴリーの中にある。風景の背景は、地理的な配置及び所望の内容を含む少なくとも１つの組に基づいて選択される。統合パフォーマンスは予め選択された背景を用いた記録が要求される。統合パフォーマンスはコンテストに入力される。統合パフォーマンスは個人的関係のウェブサイトに伝送される。統合パフォーマンスは個人的関係のウェブサイトに伝送され、ウェブサイトでアカウントを登録し且つ確立する。統合パフォーマンスは求人の申込みのために伝送される。風景の背景はスタジオから離れた場所で作られ、呼び出しに備えて格納される。風景の背景は、呼び出しに備えてスタジオから離れた場所で格納される。
【００５０】
スタジオは、背景光を、音声及びビデオシステムによって検出されたステップ（ｄ）のブース内でのパフォーマンス実施とともにプロデュースするために、スタジオ内にクロマキースクリーンを含む。スタジオで風景の背景が格納される。クロマキースクリーンは、複数の反射ガラス玉を含み得る。クロマキースクリーンは、緑の物質から構成され得る。本方法は、遠隔にある複数のスタジオブースを含み、記録パフォーマンスをノードで受信する複数の受信機器を含み、ブースで複数のパフォーマンスを記録すること、ブースから複数のノードへ各パフォーマンスを伝送すること、複数のノードのそれぞれで広告による製品又はサービスをプロモートすることを含むマルチノードから構成されるネットワーク生成のための付加的ステップを含む。
【００５１】
本方法は、ブースで統合パフォーマンスの所有権及びその統合パフォーマンスの秘密性のコントロールを示す表示をプロデュースする付加的ステップを含む。本方法は、ブースでパフォーマンスのＤＶＤをプロデュースし配布するために統合パフォーマンスを自動的に処理する付加的ステップを含む。音声及びビデオシステムは、スタジオ内の各人の風景絵をプロデュースする第１の操作位置と、スタジオ内の各人のポートレート絵をプロデュースする第２の操作位置との間を回転できるカメラを含む。そのカメラは、本方法の間、第１の操作位置から第２の操作位置へ回転することができる。
【００５２】
本発明の他の実施形態において、遠近歪み（パースペクティブ）と像の歪曲を最小化しながら、各人が広大なエリアに配置されている幻想をプロデュースする各人の記録を、制限サイズのエリアにプロデュースする改善された方法が提供される。本方法は、スタジオブースを提供するステップを含む。スタジオブースは、前方壁、後方壁、そして前方壁・後方壁・床・天井との間に広がる側面壁をもつ内部を含み、ブース内で実施される少なくとも１つのパフォーマンスの記録を含む視聴覚信号を検出し生成するための音声及びビデオシステムを含む。システムは、前方壁にマウントされたデジタルカメラを含み、そしてデジタルカメラによって検出されたブース内で実施されるパフォーマンスとともに背景光をプロデュースする後方壁の少なくとも一部を超えて広がるクロマキースクリーンを含み、視聴覚信号をブースから離れた選択場所に送信するための伝送機器を含み、風景の背景をあらわす背景信号を生成しこれを音声−ビデオ信号と統合化して記録パフォーマンスをプロデュースするためのコンピュータシステムを含む。ブースは、寸法パリティを有し、１０フィートより小さな幅を有する単純な凸体断面積の設置面積内に実質的には収まる空間ボリュームを占有する。
【００５３】
また、本方法は、ブースの内部おいて各人のパフォーマンスの像の歪曲を最小化する目線の水平フィールドでデジタルカメラのためのレンズシステムを選択するステップと、像の歪曲を最小化するために、各人がパフォーマンスを実施するブース内に居るときカメラから離れて各人が立つ最小距離を定義するステップと、物体−背景間の歪みを最小化するため、コンピュータシステムで用いられる風景の背景を選択するステップと、スタジオブースの内部よりも大きなエリアを描写するステップと、前記最小距離よりカメラに近づかずに、内部に居る各人によってブース内で生パフォーマンスが実施され、且つステップ（ｄ）で選択された風景の背景の信号と一緒に統合化した生パフォーマンスの視聴覚信号を含むパフォーマンス記録を、コンピュータシステムで生成するステップと、ステップ（ｂ）でプロデュースした記録を伝送機器によって選択された遠隔地に伝送するステップとを含む。
【００５４】
前記最小距離は、３フィートであり、目線の水平フィールドは５２度〜６６度の範囲にすることができる。ブースは、受信機及び広告のディスプレイ・スクリーンを含むことができ、そして記録を伝送することに加えてそのコンピュータシステムはディスプレイ・スクリーン上の表示に関する宣伝要素を受信することもできる。デジタルカメラは少なくとも１０８０ラインの水平解像度をプロデュースする高解像度カメラとし、コンピュータシステムは初めは１０８０ラインの水平解像度よりも少ない解像度で記録を伝送し、その後に少なくとも１０８０ラインの水平解像度で記録を伝送するようにしてもよい。クロマキースクリーンは床や、床・側面壁や、或いは床・側面壁・天井にまで広げることができる。風景の背景は、各人がブース内でパフォーマンスの記録をする前に予め選択されるようにすることができる。レンズシステムはズームレンズ系であり、本方法においてはズームレンズ系のためのズーム位置を定義する付加的なステップを含む。本方法は、各人から料金を収集するステップと、伝送された記録にある生パフォーマンスの善し悪しを選択された遠隔場所で評価するステップと、その評価の報告書を準備するステップと、報告書を各人へ伝送するステップとを含む。ブース内で生成された記録は、遠近歪み（パースペクティブ）と像の歪曲を最小化し、同時に各人がブースの内部よりも大きなエリアで記録をしたかのように現実的に思わせる。最大の横寸法は１０フィートよりも大きい。
【００５５】
本発明の他の実施形態において、宣伝データを受信することによって、且つ、遠近歪み（パースペクティブ）と像の歪曲を最小化しながら、各人が広大なエリアに配置されている幻想をプロデュースする各人の記録を、制限サイズのエリアにプロデュースすることによって、二次元内容を生成するための改善された方法が提供される。本方法は、スタジオブースを提供するステップを含む。スタジオブースは、前方壁、後方壁、そして前方壁及び後方壁・床・天井との間に広がる側面壁をもつ内部を含み、ブース内で実施される少なくとも１つのパフォーマンスの記録を含む視聴覚信号を検出し生成するための音声及びビデオシステムを含む。システムは、前方壁にマウントされたデジタルカメラを含み、そしてデジタルカメラによって検出されたブース内で実施されるパフォーマンスとともに背景光をプロデュースするため後方壁の少なくとも一部を超えて広がるクロマキースクリーンを含み、視聴覚信号をブースから離れた選択場所に送信し、且つ宣伝要素を含む信号を受信する送受信機を含み、送受信機からの宣伝信号を受信し且つ当該信号をディスプレイ・スクリーンに表示するコンピュータシステムを含む。ブースは、寸法パリティを有し、１０フィートより小さな幅を有する単純な凸体断面積の設置面積内に実質的には収まる空間ボリュームを占有する。
【００５６】
また、本方法は、ブースの内部おいて各人のパフォーマンスの像の歪曲を最小化する目線の水平フィールドでデジタルカメラのためのレンズ系を選択するステップと、像の歪曲を最小化するために、各人がパフォーマンスを実施するブース内に居るときカメラから離れて各人が立つ最小距離を定義するステップと、物体−背景間の相関歪みを最小化するため、風景の背景を選択するステップと、スタジオブースの内部よりも大きなエリアを描写するステップと、前記最小距離よりカメラに近づかずに、内部に居る各人によってブース内で生パフォーマンスが実施され、且つステップ（ｄ）で選択された風景の背景の信号とともに生パフォーマンスの記録を音声及び可視化システムで生成するステップと、プロデュースした記録を送受信機によって選択された遠隔地に伝送するステップと、宣伝要素を含む信号を前記送受信機に伝送するステップと、前記宣伝要素をコンピュータシステムによってディスプレイ・スクリーンに表示するステップとを含む。
【００５７】
本発明の他の実施形態において、宣伝データを受信することによって、且つ、遠近歪み（パースペクティブ）と像の歪曲を最小化しながら、各人が広大なエリアに配置されている幻想をプロデュースする各人の記録を、現実的な方法で制限サイズのエリアにプロデュースする改善された方法が提供される。本方法は、前方壁、後方壁、そして前方壁及び後方壁・床・天井との間に広がる側面壁をもつ内部を含むスタジオブースを提供すること、音声及びビデオシステムを含んでブース内で実施される少なくとも１つのパフォーマンスの記録を含む高解像度の視聴覚信号を検出し生成することを含む。システムは、前方壁でマウントされた高解像度のデジタルカメラを有し、ブースから離れた選択場所に前記視聴覚信号を送信する伝送機器を有し、そして高解像度の視聴覚信号を受信し、且つこの高解像度の視聴覚信号から低解像度の音声−ビデオ信号を生成するコンピュータシステムを含む。
【００５８】
ブースは、寸法パリティを有し、単純な凸体断面積の設置面積内に実質的には収まる空間ボリュームを占有する。また、本方法は、ブースの内部おいて各人のパフォーマンスの像の歪曲を最小化する目線の水平フィールドでデジタルカメラのためのレンズ系を選択するステップと、像の歪曲を最小化するために、各人がパフォーマンスを実施するブース内に居るときカメラから離れて各人が立つ最小距離を定義するステップと、物体−背景間の相関歪みを最小化するため、風景の背景を選択するステップと、スタジオブースの内部よりも大きなエリアを描写するステップと、前記最小距離よりカメラに近づかずに、内部に居る各人によってブース内で生パフォーマンスが実施され、且つ選択された風景の背景を含む生パフォーマンスの高解像度な音声ビデオ信号を含むパフォーマンス記録を音声及び可視化システムで生成するステップと、低解像度の音声ビデオ信号を選択された遠隔地に選択された時間で送受信機によって伝送するステップと、引き続いて高解像度の音声ビデオ信号を選択された場所に選択された時間で送受信機によって伝送するステップとを含む。
【００５９】
本発明の他の実施形態において、遠近歪み（パースペクティブ）と像の歪曲を最小化しながら、各人が広大なエリアに配置されている幻想をプロデュースする各人の記録を、現実的な方法で制限サイズのエリアにプロデュースすることによってコンテストを実施する改善された方法が提供される。本方法は、少なくとも１つのスタジオブースを提供するステップを含む。ブースは、前方壁、後方壁、そして前方壁及び後方壁・床・天井との間に広がる側面壁をもつ内部を含み、そして音声及びビデオシステムを含んでブース内で実施される少なくとも１つのパフォーマンス記録を含む高解像度の視聴覚信号を検出し生成する。システムは、前方壁でマウントされた高解像度のデジタルカメラを有し、ブースから離れた選択場所に前記視聴覚信号を送信する伝送機器を有し、そして高解像度の視聴覚信号を受信し、且つこの高解像度の視聴覚信号から低解像度の音声−ビデオ信号を生成するコンピュータシステムを含む。
【００６０】
ブースは、１０フィートの大きな側面寸法を有する矩形エリア内に収まる設置面積内をもつ。また、本方法は、ブースの内部おいて各人のパフォーマンスの像の歪曲を最小化する目線の水平フィールドでデジタルカメラのためのレンズ系を選択するステップと、像の歪曲を最小化するために、各人がパフォーマンスを実施するブース内に居るときカメラから離れて各人が立つ最小距離を定義するステップと、コンテストを選択し且つコンテストルールを定義するステップと、コンテスト参加者によって用いられ、コンピュータシステムによって用いられ、物体−背景間の相対歪みを最小化し、スタジオブースの内部よりも大きなエリアを描写する少なくとも１つの風景の背景を予め選択するステップと、コンテストの使用のために前記最小距離よりカメラに近づかずに、内部に居る各人によってブース内で生パフォーマンスが実施され、且つ選択された風景の背景の信号と統合された生パフォーマンスの音声ビデオ信号を含むパフォーマンス記録をコンピュータシステムで生成するステップと、プロデュースされた記録を送受信機で選択された遠隔場所に伝送するステップとを含む。
【００６１】
本発明の他の実施形態において、遠近歪み（パースペクティブ）と像の歪曲を最小化しながら、各人が広大なエリアに配置されている幻想をプロデュースする各人の記録を、現実的な方法で制限サイズのエリアにプロデュースすることによって、ブロードキャストインタビューを実施する改善された方法が提供される。本方法は、スタジオブースを提供するステップを含む。ブースは、前方壁、後方壁、そして前方壁及び後方壁・床・天井との間に広がる側面壁をもつ内部を含み、そして音声及びビデオシステムを含んでブース内で実施される少なくとも１つのパフォーマンス記録を含む高解像度の視聴覚信号を検出し生成する。システムは、前方壁でマウントされた高解像度のデジタルカメラを有し、ブースから離れた選択場所に前記視聴覚信号を送信する伝送機器を有し、そして高解像度の視聴覚信号を受信し、且つこの高解像度の視聴覚信号から低解像度の音声−ビデオ信号を生成するコンピュータシステムを含む。
【００６２】
ブースは、１０フィートの大きな側面寸法を有する矩形エリア内に収まる設置面積内をもつ。また、本方法は、ブースの内部おいて各人のパフォーマンスの像の歪曲を最小化する目線の水平フィールドでデジタルカメラのためのレンズ系を選択するステップと、像の歪曲を最小化するために、各人がパフォーマンスを実施するブース内に居るときカメラから離れて各人が立つ最小距離を定義するステップと、物体−背景間の相対歪みを最小化し、スタジオブースの内部以外のエリアを描写する風景の背景を選択するステップと、前記最小距離よりカメラに近づかずに、ブース内部に居る各人の生インタビューを実施し且つ記録し、且つステップ（ｄ）で選択された風景の背景の信号と統合された生インタビューと、ブースから離れた場所で別の人によって実施された生インタビューの音声ビデオ信号を含むパフォーマンス記録をコンピュータシステムで生成するとともに、プロデュースされた記録を前記送受信機により選択された遠隔場所に伝送するステップとを含む。
【００６３】
本発明の他の実施形態において、パフォーマンスを記録し伝送する方法が提供される。本方法は、前方壁、後方壁、そして前方壁及び後方壁・床・天井との間に広がる側面壁をもつ内部を含むスタジオブースと、少なくとも１つの生ブースパフォーマンスを含むビデオ信号を生成するために前方壁にマウントされた高解像度のデジタルカメラと、生ブースパフォーマンスの音声記録を含む音声信号を検出し生成するオーディオシステムと、デジタルカメラによって検出されたブース内で実施される生ブースパフォーマンスとともに背景光をプロデュースするため後方壁の少なくとも一部を超えて広がる彩度キースクリーンと、風景の背景をあらわす背景信号を生成するコンピュータシステムと、ブースから離れた場所でコンピュータ・サーバに信号を送信する送受信機と、生ブースパフォーマンスの記録パフォーマンス・ビデオ信号に組み込まれる記録パフォーマンス・音声信号・背景信号を含むパフォーマンス信号を生成し、且つそのパフォーマンス信号を送受信機に伝送するために、ビデオ信号・音声信号・背景信号を受信するフラッシュエンコーダーとを含む。
また、本方法は、ブースから離れたコンピュータ・サーバを提供するステップと、生ブースパフォーマンスを実施するステップと、生ブースパフォーマンスのパフォーマンス信号をフラッシュエンコーダーで生成するステップと、パフォーマンス信号を送受信機に伝送するステップと、コンピュータ・サーバ内の記憶装置のためにコンピュータ・サーバへ前記パフォーマンス信号を送受信機により伝送するステップとを含む。
【００６４】
本発明の他の実施形態において、パフォーマンスを記録し伝送する方法が提供される。本方法は、前方壁、後方壁、そして前方壁及び後方壁・床・天井との間に広がる側面壁をもつ内部を含むスタジオブースと、少なくとも１つの生ブースパフォーマンスを含むビデオ信号を生成するために前方壁にマウントされた高解像度のデジタルカメラと、生ブースパフォーマンスの音声記録を含む音声信号を検出し生成するオーディオシステムと、デジタルカメラによって検出されたブース内で実施される生ブースパフォーマンスとともに背景光をプロデュースするため後方壁の少なくとも一部を超えて広がる彩度キースクリーンと、風景の背景をあらわす背景信号を生成するコンピュータシステムと、ブースから離れた場所でコンピュータ・サーバに信号を送信する送受信機と、生ブースパフォーマンスの記録パフォーマンス・ビデオ信号に組み込まれる記録パフォーマンス・音声信号・背景信号を含むパフォーマンス信号を生成し、且つそのパフォーマンス信号を送受信機に伝送するために、ビデオ信号・音声信号・背景信号を受信するフラッシュエンコーダーと、漏洩を最小化するシステムとを含む。
また、本方法は、ブースから離れたコンピュータ・サーバを提供するステップと、生ブースパフォーマンスを実施するステップと、生ブースパフォーマンスのパフォーマンス信号をフラッシュエンコーダーで生成するステップと、パフォーマンス信号を送受信機に伝送するステップと、コンピュータ・サーバ内の記憶装置のためにコンピュータ・サーバへ前記パフォーマンス信号を送受信機により伝送するステップとを含む。
【００６５】
本発明の他の実施形態において、パフォーマンスを記録し伝送する方法が提供される。本方法は、前方壁、後方壁、そして前方壁及び後方壁・床・天井との間に広がる側面壁をもつ内部を含むスタジオブースと、少なくとも１つの生ブースパフォーマンスを含むビデオ信号を生成するために前方壁にマウントされた高解像度のデジタルカメラと、生ブースパフォーマンスの音声記録を含む音声信号を検出し生成するオーディオシステムであって、ボーカルと音楽の伴奏部分を選択されたダイナミックレンジに自動調整する当該システムと、デジタルカメラによって検出されたブース内で実施される生ブースパフォーマンスとともに背景光をプロデュースするため後方壁の少なくとも一部を超えて広がる彩度キースクリーンと、風景の背景をあらわす背景信号を生成するコンピュータシステムと、ブースから離れた場所でコンピュータ・サーバに信号を送信する送受信機と、生ブースパフォーマンスの記録パフォーマンス・ビデオ信号に組み込まれる記録パフォーマンス・音声信号・背景信号を含むパフォーマンス信号を生成し、且つそのパフォーマンス信号を送受信機に伝送するために、ビデオ信号・音声信号・背景信号を受信するフラッシュエンコーダーと、漏洩を最小化するシステムとを含む。
【００６６】
上記システムは、ボーカルと音楽の伴奏部分を選択されたダイナミックレンジに自動調整する。
【００６７】
いま、図について戻ると、図は説明のために本発明の好ましい実施例を示すものであり、本発明を制限するためにものではない。また、同じ符号が複数の図を通して対応する要素に付されている。図１〜４は、パフォーマンスの視聴覚記録をプロデュースするため、写真をプロデュースするため、記録パフォーマンスを含むＤＶＤをプロデュースするため、記録パフォーマンスをインターネットサイト、ｅメイルアドレス、又は他の所望の場所に無線或いは他の信号によって送信するために、本発明に従って実施されるスタジオブース１０を示したものである。ブース１０は、所望の場所で用いられるが、本発明の好ましい実施例ではショッピングセンター、空港、大学キャンパス、或いは他の公衆の場で用いられる。さらに、ブース１０の多くの人々が使用しやすいようにするため、複数のブース１０が空間的に離れ、異なる地理的な位置で使用されることは明らかである。例えば、指定されたエリア（例えば、郊外、都市の他の場所、都市、群、州、地方など）で複数の人々が、コンテスト、求人申込み者のグループなどの一部として、異なるブースから記録パフォーマンスを提出することができる。ブース１０は、記録スタジオが備えられているのが普通であり、遮音又は少なくとも実質的な遮音があるのが望ましい。
【００６８】
ブース１０の外部には、２人が同時に登録してブース１０を利用することを可能にする一組の登録ステーションを備える。第１の登録ステーションは、タッチ感知の登録スクリーン１３、貨幣を読み取って受け付ける請求書読み取り器１４、支払いをするのに各人のクレジットカードを読み取って使用するためのクレジットカード読み取り器１５、両替機１６、プリンター８２を含む。第２の登録ステーションは、第１の登録ステーションと同じであるが、タッチ感知の登録スクリーン１３Ａ、請求書読み取り器１４Ａ、クレジットカード読み取り器１５Ａ、両替機１６、プリンター８２Ａを含む。障害者用の斜面１３はドア１７に導かれる。ドア１７はブース１０の内部にアクセスするため開かれている。
【００６９】
ブース１０の外にある移動バナー４６は、十文字のバナー４６をスクロールするために様々なメッセージ及び／又は広告を許可する。ブース１０の右側４０は、テレビスクリーン又は他のディスプレイ・スクリーン１２を含み、空間に広がってブース１０から離れる三次元のデジタルビデオ画像４７をプロジェクトするディスプレイ装置１１を含む。最大１００フィート、最大６０度のビュー角度の距離から高鮮明度ではっきりした視界を特徴づける、独立に動く画像をプロデュースする。そのような機器の一つは、ＣＡ91311,Chatsworth,Eton Avenue9253の条件にとってプロデュースされる。ブース１０の左側４１は、テレビスクリーン又は他のディスプレイ・スクリーン１２Ａを同様に含み、そして空間に広がってブース１０から離れる三次元のデジタルビデオ画像をプロジェクトするディスプレイ装置１１Ａを含む。最大１００フィート、最大６０度のビュー角度の距離から高鮮明度ではっきりした視界を特徴づける、独立に動く画像をプロデュースする。
【００７０】
ブース１０の後方４２は、複数のテレビジョン又は他のディスプレイ・スクリーン４３，４４を含む。
【００７１】
各人がブース１０に居る場合、ドア１４に隣接する看板１９は、“セッション中”となり、ブース１０が使用中であることを観客に知らせる。ブース１０が空である場合、看板１９は“セッション中でない”又は“記録の準備中”となる。ドア１４は、ブース１０内の各人によって施錠されたり解錠される。各人がブース１０に居るとき、ブース１０の外に居る各人はドア１４を解錠できない。
【００７２】
図５に示されるコンピュータ制御システムは、ブース１０のオペレーションを制御するためにブース１０内で用いられ、そして様々なサブルーチン８０及びメモリ８１に格納された様々なデータを含む。
【００７３】
エントリ外部サブルーチン６７は、表示される情報を決定し、バナー４６、３Ｄプロジェクション機器１１，１１Ａを移動してスクリーン１２、１２Ａ、４３、４４のための信号を生成する。エントリ外部サブルーチン６７は、メモリ６９に格納された広告データ７５を用いる。また、エントリ外部サブルーチン６７は、登録スクリーン１３，１３Ａ及び支払いシステムを含みながら登録ステーションを制御する。
【００７４】
ブース１０内の各人がブース１０から離れた場所で別の人とビデオ会議を実施しているとき、ビデオ会議サブルーチン６８は、ブース１０へ及びブース１０からのビデオ及び音声情報の受領及び伝送を制御する。
【００７５】
ブース１０内の各人によるパフォーマンスの間、視聴覚サブルーチン６９は、パフォーマンスを定義するデジタル音声及びビデオデータのコンピュータメモリの記録を（記録データ６５として）制御する。カメラ２１は記録し、そして記録データ６５の一部としてパフォーマンスのビデオ記録をコンピュータメモリ８１に伝送する。パフォーマンスの音声記録は、記録データ６５の一部としてマイク２３によってコンピュータメモリに伝送する。アナログシステムはパフォーマンスを記録するために用いることができるが、デジタルシステムは現在のところ本発明を実施する上で好ましい。記録データ６５は他のパフォーマンスからのパフォーマンスをカテゴリー分類したり又は差別化するデータを含む。例えば、各人がインタースコープ・レコード・シンギング（Interscope Records singing）又はタレントコンテストにエントリする目的でパフォーマンスを記録する場合、各人はブース１０で登録しながらこのカテゴリーを選択する。そしてこのカテゴリー情報は各人の記録パフォーマンスとともにデータ６５に格納される。各人の記録パフォーマンスが送受信機サブルーチン７３を用いながら送受信機２０によって伝送されるとき、各人によって提供された人口統計学データのような他の望ましい情報とともにカテゴリー分類された情報が、各人のパフォーマンスとともに伝送される。ブース１０内のコンピュータシステムは、望ましくは、記録データ６５に格納された記録パフォーマンスが遠隔場所にあるコンピュータによってアクセスされ閲覧されることができるように構成されたり、リモートコンピュータが記録パフォーマンスをブース１０からリモートコンピュータへ或いは閲覧エントリがパフォーマンスに関する任意の又は選択された情報を求めるような他の所望の場所へ伝送されるようにする。
【００７６】
閲覧エントリは人口統計学データ情報を含む情報を探し求めることができ、コンテスト又は求人申込み者に参加する各人の名前を探し求めることができ、コンテスト又は求人申込み者に参加する各人の実際のパフォーマンスを含む情報を探し求めることができ、記録パフォーマンスに関連する他の所望の情報を探し求めることができ、パフォーマンスを格付けしたりコンテストの勝者を選択することができる。閲覧エンティティとしては、パフォーマンスを格付けしたりパフォーマンスのグループにおける勝者を選択したりする公衆のメンバーを含むことができる。リモートコンピュータは、ブース１０のオーナー又は他の望ましいパーティーによってオペレーションされることができる。
【００７７】
記録パフォーマンスは、所望の題目（主題）又は分類システムに従い、ブース１０内のコンピュータシステムによって区別される。例えば、パフォーマンスの性別、パフォーマンスの年齢、カテゴリー（特定の企業に関する求人申込み、特定のコンテストに関する音楽パフォーマンス、特定の人に対するメッセージなど）、パフォーマンスの種類（歌、モデル、アクション、インタビュー）などの例が挙げられる。望ましくは、パフォーマンスのカテゴリーは、サブカテゴリーにさらに分けられる。例えば、カテゴリーがコンテストである場合、そのコンテストカテゴリーは、歌コンテスト、モデルコンテストなどを識別するサブカテゴリーを含むことができる。
【００７８】
記録パフォーマンスが、ブース１０から（パフォーマンスと同時に、或いはパフォーマンス後のいつかのいずれか一方で）選択されたサイトに伝送された後、サイトは、記録パフォーマンス、人口統計学の又はパフォーマンスに関連したり付随する他の情報を有する情報を捜し求める望ましい各人に対してアクセスになる。
【００７９】
また、サブルーチン６９は、ブース１０を使用する各人がブース１０内のディスプレイ・スクリーン２４，２５及び音声スピーカーを用いてパフォーマンスを再生し且つ試聴（試写）できるようにする。
【００８０】
各人によるブース１０の使用中、カメラサブルーチン７０は、カメラのオペレーションを制御し、ブース内の各人によるジョイスティックの使用に応じてカメラの上下運動を制御し、カメラフォーカス又はズームレンズなどの調整を制御する。
【００８１】
プリンタサブルーチン７１は、プリンター８２，８２Ａを制御し、そしてプリンターがブース１０内で使用されるときそのプリンターを制御する。プリンター８２，８２Ａは有効カード、クレジットカードの受領、他の所望の情報をプリントし且つ配布する。ブース１０内にインストールされたプリンターは薬の処方箋又は他の所望の情報をプリントするために使用される。
【００８２】
メディア記録サブルーチンは、個人又はグループのパフォーマンスのＤＶＤ又は他のメディアにある記録を制御し、そしてブース１０の内外の各人へのＤＶＤの配布を制御する。
【００８３】
送受信器サブルーチン７３は、無線、又はブース１０から若しくはブースへの他の伝送を制御する。これは、スクリーン１２、１２Ａ、４３、４４に表示される広告情報の受領を含み、インターネットウェブサイト、ｅメイルアドレス、他の所望の場所への記録パフォーマンスの伝送を含む。記録パフォーマンスがウェブサイト又は他の場所に伝送されるとき、パフォーマンスがウェブサイトで特定の選択されたカテゴリーに組み込まれる。例えば、パフォーマンスが歌コンテストの一部として提出されるならば、パフォーマンスはコンテストの一部として他のエントリーに組み込まれ、そしてパフォーマンスを記録した個人によって、公衆若しくはパフォーマンスの閲覧や評価や格付けを望む他の個人によって、タレントを捜し評価している企業によって、各人が参加するコンテスト又は各人に関する情報を捜し求める他のエンティティによって、アクセス可能になる。
【００８４】
ブース１０に組み込まれ得る機器が図６に示される。ブース１０内の各人によって使用される機器は、送受信機２０、カメラ２１，光源２２、マイク２３、ディスプレイ・スクリーン１ ２４、ディスプレイ・スクリーン２ ２５、ジョイスティック２６、プリンター２７、有効カードスロット２８を含む。各人のパフォーマンスのＤＶＤ又は他のメディア記録をプロデュースしたり配布したりする機器は、ブース１０に含まれる。
【００８５】
ブース１０外で各人によって使用される機器は、エントリーシステム３０、ディスプレイ・スクリーン３１、稼働光バナー３２、セッション標識３３、３Ｄプロジェクションディスプレイ３４、及び他の所望な機器３５を含む。エントリーシステム３０は、エントリーカードプリンター８２，８２Ａ、データ入力タッチ感知登録スクリーン１３，１３Ａ、支払いシステム１４，１５，１６，１４Ａ，１５Ａ，１６Ａ、（登録スクリーン１３，１３Ａのオペレーションの間に使用される）パフォーマンスモード選択を含む。
【００８６】
必ずしも必要ではないが、望ましくはブース１０に組み込まれる特別の特徴は、（１）等しい記録条件、（２）登録、（３）アクセス、（４）カメラ制御、（５）有効カード、（６）ポータルアクセス、（７）処方箋の配布に関係する。これらの特徴は後述する。
【００８７】
等しい記録条件
記録機器の質は、どのようにその機器が使用されるかによって幅広く変化する。コンピュータは、各人の様子、各人の声、記録の背景シーンなどを変更するために使用することができる。二流の歌手である人が、優れた音声記憶技術者によって印象的な音を作ることができしまう。
【００８８】
本発明の重要な特徴は、等しい記録条件が使用される各スタジオブース又は場所に存在し、且つ各人のパフォーマンスが、たとえプロフェッショナルであっても、各人のパフォーマンスの本質を変更したり間違って表すことによる重大な修正をすることなく正確に記録されることを保証していることである。
【００８９】
例えば、
（１）光源。等しい品質の照明器具が各スタジオブース又は他の場所で使用される。一つのブースにおける照明器具は、他のブースの照明器具に等価な波長を有する光をプロデュースする。一つのスタジオブースにおける照明器具の配置及び強度は、別のスタジオブースで見いだされる光を複製したり再プロデュースする。
（２）カメラ。等しい品質のカメラが各スタジオブース又は他の場所で使用される。
（３）マイク。等しい品質及び感度のマイクが各スタジオブース又は他の場所で使用される。
（４）記録機器。カメラ及びマイクによって生成される信号を記録するのに使用される機器は、各スタジオブース又は他の場所で等価な品質である。
（５）バックグランド音楽。記録パフォーマンスの間で各人が歌う歌が変わったとしても、バックグランド音楽の質は比較的一定であり、パフォーマーの声のボリュームに関するバックグランド音楽のボリュームは、各スタジオブース又は他の場所で同一である。パフォーマーの声及び／又はバックグランド音楽のボリュームは、望ましくは、ボリュームが実質的に等しくなりように調整されるが、これがなされるならば、各ブースにおいて等しい方法でなされる。そのようなボリューム調整は、パフォーマーの声がバックグランド音楽や伴奏音楽よりもソフトであるか大きい場合に使用される。しかしながら、記録パフォーマンスの他の修正がこれまでのところ計画されない。なぜなら、できるだけ正確にパフォーマンス到達の記録を維持するのが望ましいからである。他の修正が選択される場合、それらは各ブースにおいて同等の方法で実行される。
（６）バックグランド背景又は“セット”。パフォーマーの後ろに提供される背景がある場合（例えば、ニューヨーク市のスカイラインの絵）、各スタジオブースの背景は等しいか若しくは等価な質である。
【００９０】
各ブースで等しい記録条件を複製すること、そして記録パフォーマンスの修正を避けること若しくは最小化することは、各パフォーマーの公正な表現を与えることにつながる。
【００９１】
登録
各スタジオブースが、パフォーマンスを記録するのに、同時には一人又は数人で使用されるサイズであるので、各人が記録をするのにスタジオブースにアクセスできる前に、列が出来てしなって待ち時間が発生する可能性がある。本発明のスタジオブースは、必ずしも必須ではないが、好ましくはこの問題を解決するものであり、複数の登録ステーションをしなえた各ブースを提供することで、複数の人がブースを使用するのに同時に問う小禄することができる。加えて、各人が登録するとき、ブースが利用できる推定日時が提供される。この日時は有効カード又はエントリーカードに印刷され、顧客が登録するときに、顧客に渡される。さらに、各人がエントリーし、有効カード（後述する）でブースを有効にするとき、各人はパフォーマンスを記録し、且つブースを離れる一組の時間をもつ。例えば、これに限定するものではないが、各人が一旦ブースを有効にすると、各人は記録準備のために３０秒、記録するのに３０分、セッションを完了しブースを退出するのにさらに３０秒が与えられる。最後の３０秒は、ブースを退出するユーザを元気づけながら、ブース内の明かりを消すためにある。
【００９２】
アクセス
各人が記録するスタジオブースにいるとき、ブースの外部にある看板は、“スタジオ使用中”、“記録中”、“使用中”などが表示されるだろう。この看板は、各人がパフォーマンスを記録している最中に、別の人がブースに入ってくることを阻止する。しかしながら、その看板は誰も止めない。好奇心の強い見物人は、ブースのドアを開けて“のぞき見”をしようとするだろう、そしてドアを開けることによってパフォーマンスをだめにするかもしれない。重要なのは、そのようなことを防止するため、有効カードでブースが有効になったときにブースのアクセスドアが自動的に施錠され、そしてブース内の各人によってのみ開けられるようにすることである。或いはまた、ブース内からのみ操作される鍵によるドアが提供され、各人がブース内に入ったあとは、各人が施錠及び解錠をすることができるようにすることである。
【００９３】
カメラ制御
先行技術のスタジオブースの場合がそうであるように、スタジオブースのカメラは一固定位置にしておくことができる。しかしながら、ブースのフレキシビリティを拡張するには、カメラは、（１）垂直方向軸に沿って上下し、（２）垂直方向軸に対して回転し、（３）地面に平行で且つブース内の各人にほぼ垂直な第１の水平軸方向に沿って前後し、（４）第１の水平軸方向に対して回転し、（５）第１の水平軸方向に垂直な第２の水平軸に沿って前後し、（６）第２の水平軸方向に対して回転し、（７）別の選択された軸方向に沿って前後するか又は回転し、（８）フォーカス又はズームし、（９）絞り設定、の少なくとも２つで調整可能であることが望ましい。
【００９４】
本発明の好ましい実施例で使用されるカメラは、垂直方向軸に沿って前後するように調整可能であり、且つカメラのフォーカスも調整できる。ジョイスティックが使用される。ブース内の各人に向かって及び離れてジョイスティックを移動させることは、垂直軸方向に沿ってカメラを上下させるように調整することになる。左右にジョイスティックを移動させることは、カメラのフォーカス又はズームを調整する。図１５において、ブース内の各人の殆どがカメラ２１によって閲覧されるようにカメラが調整され、ディスプレイ・スクリーン２５上に表示され、その結果記録される。図１６において、カメラはズームイン・アウトされるように調整され、図１５に示される各人の部分を拡大する。その結果、それは記録されるべき拡大部分である。各人の部分をズームすることは、本発明を実施する上で重要である。なぜなら、例えば、モデルが自分の顔をクローズアップしたいときや、頭からつま先までの別のショットを望むモデリングのようなパフォーマンスを容易に行なうことができるからである。また、各人が医者とビデオ会議を実施し、医者が例えば患者の体の或る場所を診たいと望むときに、ズーム特性は有用である。
【００９５】
有効カード
本発明の重要な特徴は、スタジオブースに入り有効にする手段、コンテストルール、及び権利放棄を各人に提供するように使用されるシステムである。
各人が登録して、スタジオブースに入ってパフォーマンスを記録する権利に対して支払いを済ませると、スタジオブース内のプリンターは、図９に示すような一般タイプの有効カードをプリントし配布する。有効カードは、各人の名前（Sandi Martin)、各人に割当てられたセッション又はパフォーマンス番号（４８）をプリントし、そして各人がスタジオブースに入ったら（即ち、スタジオ内のスロットにカードを挿入する）、そのカードが各人の記録セッションを有効にするためにどのように使用されるかについて各人に知らせる。後述するように、各人がブースにいるとき、有効カードにプリントされたりしているバーコード又は他の有効コードがスタジオブースによって読み取られ、各人の記録セッションのためのブースを有効にする。図１０に示すように、有効コードの反対面は、コンテストにエントリする締切り日（２０００年７月３１日）、勝者がいるであろう事実であってその勝者の名前が分かる、賞金（２５，０００ドル及び旅行費用の全額）、どのように各人の器陸が評価されるかに関するガイドライン（少なくとも１分間閲覧されたパフォーマンス）、コンテストに関連する法的条項又は条件を含むコンテストの詳細を示す。
図１０のガイドラインは、Interscope Recordsが各人のパフォーマンスを所有することを記した契約条項を含む。この条項は、望ましくは、各人を、ブース１０のオペレータ又は他の望ましい人やエントリとの独占的なエージェンシー契約に委譲するよう拡げる。独占的なエージェンシー契約は、例えば、契約が有効である期間、金銭面の条件などを含む所望の条件を有している。
【００９６】
各人がブース１０内でパフォーマンスを記録した後、各人が独占的なエージェンシー又は他の契約を入力する。典型的には、これは、各人がタレントコンテスト、モデルコンテスト、歌コンテスト、求人申込みなどを指定した後の場合であろう。
以下の例は、本発明を限定するものではないが、例示として与えられる。
【００９７】
例
スタジオブース１０は、ショッピングセンター、空港、大学キャンパス、或いは他の公衆の場に置かれる。正午１２時に、各人はブース１０を見て、地面の上の空間につり下げされているようにみえて動く３Ｄプロジェクション４７に当初は魅了される。３Ｄプロジェクション４７の主題は変化する。一例として、３Ｄプロジェクション４７は食べ物や多くの人がコカコーラボトル、アイスクレームコーン、ポピュラー音楽のＤＶＤ、有名な映画スターの似顔絵などの購入したり使用する他の物品からなる。他の例として、３Ｄプロジェクション４７は、“コカコーラを買おう”、“アメリカン航空に乗ろう”というような広告からなる。また別の例として、３Ｄプロジェクション４７は、ブース：“Studio Oneの記録中”を示す。各人は空中に浮かんでみえるオブジェクトの姿に惹きつけられ、オブジェクト自体の望ましさに惹きつけられ、ディスプレイ３４があらわすことの絶え間ない変更に惹きつけられる。例えば、まず望ましいオブジェクトが表示され、次に広告、次にブース自体の記述である。
【００９８】
各人がドア１７の右側の登録ステーションに行って、図１１にあらわすようなスクリーン１３の上の“ようこそ”という情報を、タッチスクリーン１３上で見る。タッチスクリーン１３の３つの例を図１１に示す。各人は“ようこそ”という情報を読んで、タッチスクリーン１３の“ここを押すとスタート”を指で押す。図１１の真ん中の図には、“セッションを選択”する情報があらわれる。各人は、タッチスクリーン１３の“パフォーマンスを記録；コンテストにエントリする”の左部を指で押す。“７月のコンテスト”という情報が図１１の３つめの図に示すようにあらわれる。各人は、タッチスクリーン１３の“音楽：Interscope Records”の左部を指で押す。
“コンテスト情報”が図１２の１つめの図に示すようにあらわれる。各人はこれを読んで、タッチスクリーン１３の“次に進む”を指で押す。“コンテストルール”が図１２の２つめの図に示すようにあらわれる。各人はこれを読んで、タッチスクリーン１３の“次に進む”を指で押す。すると、“オプション情報”が図１２の３つめの図に示すようにあらわれる。各人はこれを読んで、タッチスクリーン１３の“次に進む”を指で押す。各人は氏名にSandi Martinを入力し、電子メールアドレスにsandimartin@cox.netを入力し、Interscope Recordsの電子メールアドレスにinterscope@cox.netを入力する。次に、Sandiはタッチスクリーン１３の“次に進む”を指で押す。図１３の１つめの画面情報があらわれるので、Sandiは最初の質問（Sandiは１７歳）に答えるために、“Ｙｅｓ”の左部を指で押す。そして、２つめの画面情報の質問に答えるために“Ｙｅｓ”の左部を指で押して、タッチスクリーン１３の“次に進む”を指で押す。
すると、“楽曲選択”の情報が図１２の２つめの図に示すようにあらわれる。Sandiは、スクリーン１３の下部にあるキーボードを使用して、“CLOMB Every MOUNTAIN”を入力する。次に、Sandiは、タッチスクリーン１３の“次に進む”を押す。図１３の３つめの図に示すように、“ビデオに氏名を表示しますか？”の情報があらわれる。Sandiは、“Ｙｅｓ”の左部を押して、次にタッチスクリーン１３の“次に進む”を押す。すると、図１４の１つめの図に示す情報があらわれる。Sandiは、クレジットカード読み取り器１５に自分のクレジットカードを挿入する。彼女のクレジットカード情報は、送受信機器２０（図６）を介してクレジットカードが承認した遠隔場所に伝送される。この承認は、送受信機器２０を介してブース１０に返送され、そしてプリンター８２がレシートを印刷しこれを配布する。Sandiはこのレシートを受け取る。プリンター８２は、図９及び図１０に示すような有効カードを印刷し配布する。有効カードが配布されるとき、図１４の３つめの図に示すように“ようこそ”という情報があらわれる。Sandiはカードを読み出して、自分のパフォーマンス番号が４８であることに気づき、自分のセッションを有効にするブース内のスロットにカードを挿入しなければならないことに気づき、バーコードに気づき、コンテストの詳細及び有効カードの返却に関する権利放棄に気づく。図１４の下図に示すような情報があらわれる。Sandiは、自分のセッションに準備されるブースが午後２：３０である推定時間を知る。顔をあげてスクリーン３３をみる。スクリーン３３に表示されているのは、“セッション中。Ｎｏ．３５”である。
【００９９】
Sandiがブース１０を離れ、午後２：２５に戻る。スクリーン３３に表示されているのは、“セッション中。Ｎｏ．４７”である。５分後に、ある者がブースを去る。Sandiは、ブースに入り、ブースの中からドア１７を施錠する。彼女はブース内に２個のディスプレイ・スクリーン２４，２５があることに気づく。スクリーン２４は、図７の１つめの図に示されているような情報を表示する。彼女はブース１０内のスロットに有効カードを挿入する。図７の２つめの図に示すような情報があらわれる。スクリーン２４に示される時刻は、３０，２９，２８，２７、２６、２５…とカウントダウンし始める。図１５のスクリーン２５に示すように、スクリーン２５に彼女の像があらわれる。Sandiは、ジョイスティック（図１５）を使用して、カメラ２１の高さ及びフォーカス（ズーム）を調整し、その結果、スクリーン２５上の彼女の画像が図１６のようになる。（図７の２つめの図に示すように）スクリーン２４のカウントダウンが零になった後、図１５のスクリーン２４に示すような情報があらわれ、スクリーン２４上の時間表示が１８０，１７９，１７８，１７７…とカウントダウンを始める。図１５には表示されていないが、彼女が選んだ歌の歌詞がスクリーン２５の彼女の画像の右側にあらわれる。スクリーン２４の時間カウントダウンが零になった後、図７の３つめの図にあるような“あなたのパフォーマンスが終了しました”という情報があらわれる。Sandiは、スクリーン２４上の各質問に対して“Ｙｅｓ”で回答する。次に、図８にある“お願い…”の情報があらわれる。彼女の記録パフォーマンスがあるＤＶＤがブース１０のＤＶＤレコーダースロットから排出される。ＤＶＤレコーダースロットは、ブース１０の外に配置されており、SandiはＤＶＤをとるためにブースを出なければならない。SandiはＤＶＤをとる。彼女は、有効カードを保管していることが分かる。彼女はブースを去る。
【０１００】
Sandiが図１１の３つめの図に示すスクリーン上のメニューをみて、モデルを選択した場合、彼女はスクリーン上にあらわれる次のメニューに、写真又はビデオの選択が与えられるであろう。同様に、Sandiが図１１の２つめの図に示すスクリーン上のメニューをみて、“写真撮影” を選択した場合、ブース１０は彼女の写真をとるだろう。言い換えると、カメラ２１はパフォーマンスの写真又はビデオをなおもプロデュースするのに使用することができる。一般に、ビデオは、必ずしもそうではないが、パフォーマーによって話すこと又は歌うことを含む。
【０１０１】
Sandiがパフォーマンスを記録することを完了し、ブースを去った後、コンピュータ制御は自動的に彼女のパフォーマンス、そのパフォーマンスに関連する人口統計学のすべて若しくは他のデータを、彼女の電子メールアドレスsandimartin@cox.net及びinterscope@cox.netのInterscope Recordsに転送する。Interscope Recordsは、Sandi及び公衆のメンバーによってアクセスされるウェブサイト上に彼女のパフォーマンスを置く。公衆のメンバーは、１〜１０のスケールで（１０は最高で、１は最低）、Sandiのパフォーマンスの格付け（評価）の機会をもつ。Interscope Recordsは少なくとも１人の従業員又は独立請負業者を有し、Sandiのパフォーマンスを、以下の基準のそれぞれにつき１〜１０のスケールで評価する。
【０１０２】
Ａ．声の範囲、
Ｂ．キーがどこにあるか、
Ｃ．テンポ：受け入れ可能なテンポで歌われた歌か、又は速すぎないか若しくは遅すぎないか、
Ｄ．テンポバリエーション：その歌を聴くのにもっと興味をもたせるように変化させた歌のテンポであるか、
Ｅ．歌っている間のマンネリ：すなわち、マンネリが付加されるか或いは除去されうか、
Ｆ．声の独自性、
Ｇ．声の清らかさ、メロディー性、
Ｈ．声のとおり、
Ｉ．歯切れのよさ：歌を理解できるか、
Ｊ．歌手の顔の表現：聴いている者はその歌手を見たいと思うか。
【０１０３】
Interscopeは、コンテストの判断をし、Sandiのパフォーマンスを、ブース１０で記録しInterscopeのコンテストにエントリーした他の人のパフォーマンスと比較するので、少なくとも１人の従業員又は独立請負業者を有している。コンテストの判断は、１位、２位、３位の入賞者を決める。その判断は、入賞者を決めるのにどんな基準を使用するのかは自由である。あるいはまた、Interscopeはコンテストの入賞者を選択する上で或る基準を使用して判断することを示唆又は要求する。Interscopeは、勝者にｅメイル及びウェブサイトで知らせる。Sandiは、１位で入賞する。彼女は２５，０００ドルの賞金とInterscopeのオーディションライブへのカリフォルニア旅行で支払われるすべての費用を得る。彼女はカリフォルニアのInterscopeのためにオーディションする。その結果、Interscopeは、独占的なレコード契約に１年で１，０００，０００ドルを彼女に申し出る。
【０１０４】
本発明の他の実施形態において、コンテスト中に使用されるパフォーマンスは、公衆の会場又はトラフィックエリアに配置されたブースで実施されない。しかし、ビル内、公衆エリアでない、又は殆ど若しくはまったく公衆が通らないエリアに配置された複数のブース又はスタジオで行なわれる。そのような非公衆のレコーディングスタジオは、望ましくは、統一して一貫した記録の変化、有効カード、及び本発明の他の構成要素を使用する。
【０１０５】
各人がブース１０を使用するとき、ブースを使用する請求が望むとおり変化する。しかしながら、コストはブース１０をたくさん使用してもらうように形式的なものであるのが望ましい。望ましい請求は、３分あたりの記録セッションで２０ドルである。
【０１０６】
アクセスポータルとしてのスタジオブース
本発明の他の実施形態において、本発明のスタジオブースは、一致を行なうサービス(match-making service)などの個人的関係のサービス、雇用エージェント、病院や医者などの医療機関、又は他の所望のサービス若しくは組織にアクセスするためのポータルとして各人に利用される。図１８に示すように、各人は、まず記録パフォーマンス８０をプロデュースするためにスタジオブース１０を使用する。限定するものではなく一例としてだが、パフォーマンスはインタビューの間、答えを言う人を含み、性格を述べる人のスピーチを含み、歌を歌う人を含み、モデルする人を含み、写真撮影のために座っている人を含む。
【０１０７】
そのような記録は、（１）カメラサブルーチン７０及び視聴覚サブルーチン６９（図７）を使用して達成され、カメラの位置とフォーカスを制御し（可能であれば、マイクと光源も）、記録を定義する信号及び記録データ６５を生成する。次に、記録は、ブース１０によって就職斡旋エージェンシー７６、個人的関係エージェンシー７７、医療機関、他の所望な場所７９に伝送される。他の要求されたデータ又は情報は記録パフォーマンス８０と一緒に伝送されるのが一般的である。そのようなデータは望ましくは変更することができ、一例ではあるが、名前、住所、年齢、電話番号、職業上の興味、電子メールアドレス、履歴書、好き嫌い、趣味、興味のある他の分野、個人プロフィール、パーソナリティに関する好き嫌い、他人の興味などを含むことが可能である。
就職斡旋エージェンシー７６、個人的関係エージェンシー７７又は医療機関は、次に各人と接触し（その逆もある）、提供されるサービス、結婚相談所の請求、又は個人的に関する付加的な情報を交換する。
【０１０８】
アクセスポータルとしての本発明のブースの使用は、結婚相談サービス又は一致を行なうサービス(match-making service)を含む個人的関係サービスにアクセスする人を引き込むのに特に好都合な方法であるようにみえる。あるいは、各人が就職斡旋エージェンシー７６、個人的関係エージェンシー７７、医療機関、又は他の所望な場所７９に最初に接触した後、ブース１０で記録パフォーマンス８０をプロデュースし、且つブース１０にパフォーマンスを就職斡旋エージェンシー７６、個人的関係エージェンシー７７、又は医療機関７８などへ伝送させることができる。
【０１０９】
ブース１０が、就職斡旋エージェンシー７６又は個人的関係エージェンシー７７へのアクセスポータルとして使用されるとき、ブース１０の特に好都合な点は、ブース内の各人の写真記録を正確にプロデュースし、その結果、各人の様子の独立した証明として機能することである。これは、就職斡旋エージェンシー７６又は個人的関係エージェンシー７７によって遭遇される本質的な問題の一つが、可能性のある顧客が提出する写真がときどき実際の様子を公正にあらわしていないということなので、重要である。
【０１１０】
処方箋の配布ステーションとしてのスタジオブース
本発明の一実施例は、スタジオブースを使用して図１７に示すような方法で処方箋を配布することを含む。個人がブース１０を使用して、その個人から離れた位置にいる医者と視聴覚会議又は音声会議を実施した後、医者８３は、タッチ感知スクリーン８４上で処方箋を書き及びサインするスタイラス８２又は他の器具を使用することができる。必要なデータを用意して処方箋を規定して所望の場所に伝送するため、他に望ましい機器が医者８３によって使用される。処方箋をプリントするのに必要な他の情報（例えば、医者の名前や住所）と一緒に、処方箋は遠隔地にある送受信機２０によって、スタジオ１０内の送受信機２０へ伝送される。送受信機２０は医療データ６４をスタジオブース１０内のコンピュータメモリに転送する。プリンタサブルーチン７１を介して、コンピュータ制御は、処方箋をプリントするためにブース１０内のプリンター２６へ医療データを伝送する。処方箋のハードペーパーコピーがプリンター２６によって印刷され配布される。ペーパーからなるハードコピーを配布することに加えて、ブース１０は、ＤＶＤ若しくは他のディスク、又は処方箋を印刷するために患者が使用でき、又は患者のための処方箋を満たす薬局によって読み出されたり他の方法が使用できるメディアを含むハードコピーを配布する機能を備える。、ＤＶＤ若しくはディスク、又は他のメディアは、ディスクが１回だけ読み出されりこと、及び／又は処方箋を１回だけのコピーのために印刷されるようにプログラム化されることができる。また、患者のブース１０（又は医者のブース１０）は、小売店又は薬局を含む一括販売店の中、隣接して、又は近くに配置することができる。
【０１１１】
医者と患者との間での視聴覚会議又は音声会議の後、医者は処方箋を店の薬局に直接送るころができる。次に、患者は、患者のブースが店の中にあるとき、ブースから出て、処方箋が満たされる間待って、そして薬局から処方箋を受け取る。患者によって使用されるブース１０を薬局のある店に配置することは、特に好都合である。なぜなら、患者は医者との会議を実行し、店に送られた処方箋をすぐに得ることができるからである。処方箋は、患者のブース１０から、又は医者のブース１０から薬局に伝送される。処方箋は、無線信号を介して光ファイバー上で、伝線上で、衛星経由などで、ブース１０から薬局に伝送され得る。
【０１１２】
ブース１０の一つの有利は、各人が医者と会議している間、カメラが患者の絵及び声を医者に伝送するということである。カメラは、患者の体の特定のエリアをズームインしたり伝送するように、或いは医者若しくは他の健康管理専門家に他の情報をみてもらって伝送するために調整される。処方箋上又は埋め込まれたバーコード（又は他の識別コード又はシステム）は、処方箋を追跡して、合法的に患者に必要であるから発行されたかを保証することを手助けし、且つ習慣による配信で他の薬がモニタされ制御されていることを保証するために使用することができる。
【０１１３】
本発明の一実施例は、ブース１０経由で又は薬局に直接的に医者が発行した処方箋は、医者及び薬局によってアクセス可能なコンピュータ・サーバ内に入力される。患者が処方箋を薬局に提示するとき（又は薬局がブース１０からの信号経由で処方箋を受信するとき）、薬局でのコンピュータ機器は、処方箋のバーコードを読み出し、コンピュータ・サーバにクエリーし、そして診てもらった医者の名前、患者の名前、処方箋の下で出される薬かを処方箋が出しているかを確認する。
【０１１４】
幾つかのケースにおいて、あるブース１０内の患者と、別のブース１０内の医者との間の伝送は、ブース間のビデオ伝送が要求されないほど十分であるかもしれない。しかしながら、患者と医者との間のどんなビデオ伝送も、医者が患者のようすをみて、少なくともある程度評価できるようなビデオ供給を含むことが望ましい。
ブース１０のビデオ会議の特徴は、ここで述べたブース１０の他の機能と一緒に使用することができる。例えば、各人がパフォーマンスしているとき（及び、望ましくはパフォーマンスを記録しているとき）、パフォーマンスは他の人に閲覧され、この他の人と一緒に各人はビデオ会議を実施している。例えば、これに限定するものではないが、他の人は、ファミリーメンバー、タレントスカウト、医者、モデルエージェンシー、個人的関係のエージェンシーなどである。
【０１１５】
パフォーマーに関する所有権及び秘匿性を確立する手段としてのリモートスタジオブース
必ずしもそうではないが、各リモート記録ブースに含まれたり関連する一つの特徴は、ブース内で記録されたパフォーマンスにおけるパフォーマーの所有権を確立し、そしてパフォーマーの手中にパフォーマンスの秘匿性のコントロールを確立しておくことであるのが望ましい。パフォーマーがブース１０において及びブース１０によって提供される音楽、歌詞、背景の絵やデザインを使用する場合（著作権によって保護されているが）、パフォーマーはパフォーマンスに対するすべての権利を所有してはいない。パフォーマーは、適切な著作権ライセンス又は譲渡書が音楽、歌詞、背景デザインの所有者から、同様にスタジオブース１０によって提供される記録技術における所有者の著作権に基づく記録スタジオのオーナーから得られる場合に、そのパフォーマンスの複製・配布・販売に対する権利を所有するだけである。この問題を説明することは、本発明の重要な特徴の一つでもある。
【０１１６】
スタジオオーナーがパフォーマーに対する著作権を譲渡し又はライセンスし、重要なのは、パフォーマンスの間に記録ブースで使用する音楽、歌詞、背景絵に対して必要な著作権ライセンス料に関心を向け、（ＡＳＣＡＰ又は他の適当な著作権ライセンスエージェンシーを通じて）支払うことに同意することである。音楽、歌詞、背景絵に対してのＡＳＣＡＰなどからのスタジオオーナーによるライセンスは、好ましくは、パフォーマーがリモート記録ブースを使用する前に、スタジオオーナーによって実行される。
【０１１７】
さらに、音楽、歌詞、背景絵、及び記録技術とは別に、スタジオオーナーがパフォーマーによって完全に所有されるパフォーマンスに同意するのが望ましい。
【０１１８】
またさらに、パフォーマンスが秘密であり、パフォーマーの承認なしに配布されないことに同意するのが望ましい。
【０１１９】
また、パフォーマンスを遠隔の場所、スタジオオーナーが所有するウェブサイト若しくは別の人に伝送させることに同意するのが望ましい。パフォーマーが遠隔の場所でパフォーマンスを配布したり閲覧したりすることの権限を与えるまで、パフォーマンスがその遠隔の場所で秘密を維持されていることが望ましい。
【０１２０】
また、パフォーマンスが遠隔のウェブサイト又は他の場所に伝送され、パフォーマーがインターネットに今存在する膨大な“ＭＹ  ＳＰＡＣＥ”ウェブサイトに匹敵する個人のウェブサイトにパフォーマンスを組み込むための選択をする場合、パフォーマーは個人のウェブサイトにアクセスを制限することによって、個人のウェブサイト上のパフォーマンスの秘密性をコントロールすることができる。
【０１２１】
上述した所有権及び秘密条項は、リモートスタジオブースを実際に操作することに関する重要なファクターであるといわれている。著作権所有者が説明しない場合、パフォーマーは正しい著作権ライセンスを得ることがなおざりにされるかもしれない。パフォーマーが著作権ライセンスを得ることに責任をとることはありえない。これは、パフォーマンスが著作権法を違反し、スタジオブースのオーナーが著作権法を違反していることに関わっていることを意味する。これは、パフォーマー及びスタジオオーナーが訴たえられることにさらされる。本発明によれば、この問題への解法が著作権ライセンスを確実にすることである。スタジオブース内の作品が、パフォーマンスにおけるスタジオオーナーの著作権の興味を譲渡したりライセンスするパフォーマーのために使用される。この問題は、従来、説明されてきたようにはみえない。
【０１２２】
図１９は、本発明のスタジオ又は記録ブースの使用に関する、起こりうる秘密性の所有権フローチャートを示している。図１９において、エンティティのStudio Oneが記録ブース１６６のオーナーであると仮定されている。ユーザは記録ブース１６６でパフォーマンスを記録する。ブースで或いはユーザが有効カードを取得した別の場所で、ユーザによって入力された同意書ごとに、（１）ユーザはパフォーマンスを所有し、そしてブースを介してStudio One又はコンテストを実施する別のエンティティがパフォーマンスを使用するライセンスを得る、又は、（２）Studio Oneがパフォーマンスを所有する。記録ブースで使用される有効カードは、ユーザの識別（ＩＤ）コードを含む。Studio Oneは、望ましくはパフォーマンスを記録する記録ブースを使用する前に、ブース内の音楽、歌詞、又は他の複写された作品によるあらゆる著作権ライセンス料を追跡し且つ支払いをする。
【０１２３】
ユーザの機密パフォーマンス１６１はブース内でプロデュースされ、ユーザはいつどこでパフォーマンスが公になり伝送されるかに関するコントロールが得られるのが望ましい。ユーザは、ブース又は別に設計されたブースから離れた場所で、コンテストウェブサーバー又はサーバー１７５、或いはStudio Oneウェブサイト１６１に伝送されたユーザパフォーマンス１６１をもつ。ウェブサイト１６７で、パフォーマンスはユーザの選択により機密性（１７０）を残す。また、ウェブサイトで、ユーザは、有効カードからユーザＩＤコードを使用しまがらパフォーマンス１６９にアクセスすることができ、そしてパフォーマンスの機密性を修正することができる（１７４）。
【０１２４】
ユーザがパフォーマンスの機密性を修正する一つの方法は、パフォーマンスに対する公衆アクセスを許可することである（１６４）。
【０１２５】
ユーザがパフォーマンスの機密性を修正する別の方法は、指定エンティティによるアクセスを許可することである（１６２）。
【０１２６】
ユーザがパフォーマンスの機密性を修正するさらに別の方法は、指定されたパーティがアクセスできる個々のユーザウェブサイトにパフォーマンスを組み込むことである（１６３）。個々のウェブサイトは、Studio Oneが提供するサーバーで操作され、又は他の場所で操作されることができる。ユーザは、個々のユーザウェブサイトを、ユーザのみ、又は他のパーティの限定されたメンバー若しくは公衆によってのみアクセスされるように選択してもよい。
【０１２７】
ユーザがパフォーマンスの機密性を修正するさらに別の方法は、パフォーマンスが、ＴＶ番組、ＤＶＤ、又は選択された聴衆に配布された他のメディアに使用されることを許可することである（１６５）。
【０１２８】
図２０は、記録ブースにおける、本発明の他の所有権−機密事項における、第１のフェーズ、つまり記録ブース：パフォーマンス前のフェーズ１８０を示す。パフォーマンス前のフェーズ１８０において、（ブースで、インターネットで）記録中か、ユーザがブース内に居るときの何れかに、Studio One（記録ブースのオーナー）は、（１）ユーザがパフォーマンスにおけるStudio Oneの著作権を含む記録パフォーマンスを所有すること、（２）Studio Oneが、記録ブースで提供され使用された音楽、歌詞、芸術的な背景などに関連するユーザのパフォーマンスに対して、著作権ライセンス料のために追跡し且つ支払うこと、をユーザに知らせる。また、望ましくはないが、Studio Oneはウェブパフォーマンスにおいて全部又は幾つかの権利の所有権を主張できる。
【０１２９】
パフォーマンス前のフェーズ１８０の間、記録ブース内の記録機器はユーザの有効カード上のユーザＩＤコードをスキャンし保持する。
【０１３０】
パフォーマンス前のフェーズ１８０の間、登録中又は記録ブースにいる間のいずれかに、ユーザはStudio Oneのウェブサイト、コンテストウェブサイト、別の場所へパフォーマンスを伝送することに同意するのが典型的である。
【０１３１】
パフォーマンス前のフェーズ１８０の間、ユーザは、（１）パフォーマンスへ公衆アクセスすること、（２）指定パーティの限定メンバーがパフォーマンスにアクセスすること、（３）（Studio Oneのウェブサイト、ｅメイル、又は別の伝送を介して）ユーザのウェブサイトにパフォーマンスを組み入れること、（４）ＴＶショー、ＤＶＤ、又は別のメディアにパフォーマンスを使用すること、（５）コンテストにパフォーマンスを使用すること、（６）パフォーマンスの別の使用、（７）使用又は閲覧されるパフォーマンスを許可しないこと、に許可又は同意することができる。
【０１３２】
パフォーマンス前のフェーズ１８１の記録後、パフォーマンスを記録する前に、ユーザが選択した送信又はアクセスを修正しないことを選択してもよい（１８２）。この場合、ユーザの機密パフォーマンスは、例えば、Studio Oneのウェブサイト／サーバーへ、コンテストウェブサイト／サーバーへ、又は他に選択した宛先へ伝送されることができる。
【０１３３】
あるいは、ユーザは、パフォーマンスを記録する前に、ユーザが選択した送信又はアクセスを修正することを選択してもよい（１８３）。この場合、図２２、記録ブース：パフォーマンス後修正に示す修正のどれもが、選択されてもよい（１８７）。
【０１３４】
図２２において、ユーザが当初行なった送信の修正の選択は、（ａ）Studio Oneのウェブサイト／サーバー、（ｂ）コンテストウェブサイト／サーバー、（ｃ）他の宛先へパフォーマンスの送信を取り消すことを含むことができる。送信の修正の選択は、Studio Oneに対するパフォーマンスを“ＭＹ  ＳＰＡＣＥ（ＳＭ）”タイプのウェブサイト又は他の指定された場所に伝送する選択を含む。
【０１３５】
ユーザが当初行なったアクセスの修正の選択は、（ａ）公衆アクセス、（ｂ）指定パーティの限定メンバーによるアクセス、（ｃ）ＴＶショー、ＤＶＤ、又は別のメディアにパフォーマンスを使用すること、（ｄ）コンテストにパフォーマンスを使用すること、（ｅ）他の使用、を取り消すことを含むことができる。ユーザが当初行なったアクセスの修正の選択は、（ａ）Studio Oneのウェブサイトにおいて記録パフォーマンスにアクセスを許すこと、（ｃ）求人の面接者にアクセスを許すこと、（ｄ）公衆アクセスを許すこと、（ｅ）指定パーティの限定メンバーがパフォーマンスにアクセスすることを許すこと、（ｆ）ＴＶショー、ＤＶＤ、又は別のメディアにパフォーマンスを許すこと、（ｇ）コンテストにパフォーマンスの使用を許すこと、（ｈ）他の使用を許すこと、を取り消すことを含むことができる。
【０１３６】
記録ブースにおいて、パフォーマンス後のフェーズ１８２、１８３の後、次のフェーズは、Studio Oneのウェブサイト又は別の指定場所でのStudio Oneのウェブサイト：パフォーマンス後のフェーズ１８８である。
【０１３７】
記録ブースで提供されるユーザＩＤコードを使用してStudio Oneのウェブサイトにユーザがアクセスするとき、ユーザが記録ブースで行なった送信又はアクセスの選択を修正しないように選択できる。
【０１３８】
ユーザは、ユーザが記録ブースで行なった送信の選択を修正するように選択できる。このような修正は、コンテストウェブサイト／サーバー、又は他の宛先へパフォーマンスの送信を取り消すこと、或いはStudio Oneに対するパフォーマンスを“ＭＹ  ＳＰＡＣＥ（ＳＭ）”タイプのウェブサイト又は他の指定された場所に伝送することを許可することを含む。
【０１３９】
ユーザは記録ブースで行なわれたアクセスの選択を修正するように選択できる。このような修正は公衆アクセスを取り消すこと、指定パーティの限定メンバーによるアクセス、ＴＶショー、ＤＶＤ、又は別のメディアにパフォーマンスを使用することを取り消すこと、コンテストにパフォーマンスを使用することを取り消すこと、パフォーマンスの他の使用を取り消すこと、を含む。
【０１４０】
ゲーム場に参加する手段としてのリモートブース
本発明のリモートスタジオブース１０は、遠隔カジノのようなギャンブルエンティティでゲーム場を実施するのに適していると言われている。ブースは、ユーザがリアルタイムでギャンブルに参加するのを許可し、ユーザの年齢、アイデンティティ、そしてギャンブルが合法であることを保証する様々な手段を提供し、正当な政府及び規制当局によってモニタリングされる。
【０１４１】
例
スタジオブース１０は、ショッピングセンター、空港、大学キャンパス、或いは他の公衆若しくは非公衆の場に配置される。
【０１４２】
各人がドア１７の右側の登録ステーションに行って、図２４にあらわすようなスクリーン１３の上の“ようこそ”という情報を、タッチスクリーン１３上で見る。タッチスクリーン１３の３つの例を２４に示す。各人は“ようこそ”という情報を読んで、タッチスクリーン１３の“ここを押すとスタート”を指で押す。図２４の真ん中の図には、“セッションを選択”する情報があらわれる。各人は、タッチスクリーン１３の“チャンスゲームをプレイするためのカジノとのビデオ会議”の左部を指で押す。各人は、タッチスクリーン１３の“次に進む”を指で押す。すると、“カジノ選択”という情報が図２４の３つめの図に示すようにあらわれる。各人は、タッチスクリーン１３の“Blue Nickel”の左部を指で押す。すると、“ようこそBlue Nickelへ！”という情報が図２５の３つめの図に示すようにあらわれる。各人はこの情報を読んで、登録ステーションでキーボードを使ってアカウント番号及びパスワードを入力する。図２５の２つめの図に示すような情報があらわれる。このディスプレイは、アカウント番号及びパスワードが証明されたことを確認し、そして各人に登録ステーションで提供される指紋又は光スキャナーを用いるかを尋ねる。指紋スキャナーに指を置く。図２５の３つめの図があらわれる。
【０１４３】
このスクリーンは、彼女のアイデンティティが確認され、彼女がBlue Nickelとともに有するトランザクションがＩＲＳ又は他の政府或いは規制当局によってモニタリングされることを確認する。また、７日以内に賞金が彼女のアカウントに送金されることを確認する。また、望ましくは、各人が賞金を収集するために、（ａ）（ブースの内又は外に）返金のために他の場所へ持って行くレシートを印刷すること、（ｂ）デビットカードを配布すること、（ｃ）ブースが配置された現金支払機からブースでの賞金を配布すること、が各人に提供される。
【０１４４】
各人は、タッチスクリーンの“次に進む”を指で押す。次に、プリンター８２は印刷をし、図２７及び２８に示すような有効カードを配布する。
【０１４５】
有効カードが配布されるとき、図２６に示すようなようこそ”という情報があらわれる。図２６の情報は、ブースがSandiのセッションのために準備される時間を記し、彼女がブースに居るときは、カジノの従業員が彼女を見ることができなければならないことを記している。
【０１４６】
Sandiが図２７に示された有効カードの面を読み出して、自分のパフォーマンス番号が５２であることに気づき、自分のセッションを有効にするブース内のスロットにカードを挿入しなければならないことに気づき、バーコード又はカードに印刷された他のＩＤコード（図２７には不図示）に気づき、コンテストの詳細及び有効カードの返却に関する権利放棄に気づく。図２８は有効カードの返却を示す。
【０１４７】
Sandiは午後１：０５であることに気づき、彼女のセッションのためにブース１０が準備される推定時刻が午後３：３０であるということに再度気づく。顔をあげてスクリーン３３をみる。スクリーン３３に表示されているのは、“セッション中。Ｎｏ．３７”である。
【０１４８】
Sandiがブース１０を離れ、午後３：２５に戻る。スクリーン３３に表示されているのは、“セッション中。Ｎｏ．５１”である。５分後に、ある者がブースを去る。Sandiは、ブースに入り、ブースの中からドア１７を施錠する。彼女はブース内に２個のディスプレイ・スクリーン２４，２５があることに気づく。スクリーン２４は、図２９の１つめの図に示されているような情報を表示する。スクリーン２５は、彼女のブース内の立ち姿、座っている姿を表示する。彼女はブース１０内のスロットに有効カードを挿入する。図２９の２つめの図に示すような情報があらわれる。スクリーン２４に示される時刻は、３０，２９，２８，２７、２６、２５…とカウントダウンし始める。３０秒カウントダウンされている間に、Sandiは、ジョイスティック２６（図１５）又はブース１０内で提供された他のコントロールを使用して、カメラ２１の高さ及びフォーカス（ズーム）を調整し、その結果、スクリーン２５上の彼女の画像が図３０のようになる。スクリーン２４のカウントダウンが零になった後、Sallyと命名されたBlue Nickel従業員の画像が図２４に示すようにスクリーン２４にあらわれる。Sallyの声はブース１０内でスピーカーによってプロデュースされる。
【０１４９】
Sally（サリー）：こんにちは、サンディ。私は、Blue Nickelのサリーです。あなた、今日はとても元気そうね。
Sandi（サンディ）:ありがとう。
サンディの声と画像がブース１０内の視聴覚機器で検出され、サリーのカジノに伝送される。したがって、サリーはサンディをみて声を聴くことができる。
Sally（サリー）：ブースにある指紋スキャナーにあなたの指を置いて、あなたのＩＤをもう一度確認させて頂けますか？
Sandi（サンディ）:ＯＫ
サンディは、指紋スキャナー５１に指をのせる。
Sally（サリー）：サンディ、よさそうね。我々が使用でき、必要ならあなたに請求するためのクレジットカードデータを含むあなたのアカウント情報がわかったわ。今日は何するの？
Sandi（サンディ）:スロットマシーンで遊べる？
Sally（サリー）：ええ。どのマシーンかを私に言ってくれたら、スクリーンにマシーンの表示をすることができるわ。２５セント、１ドル、５ドルのロットマシーンがあるわよ。遊びたいときに、キーボード上の“ＥＮＴＥＲ”ボタンを押して。ゲームの終わりにあなたが賭けた分の金額が自動的にあなたのクレジットカードに請求されるわ。もちろん、あなたが勝てば、賞金があなたのアカウントに伝送されるわ。ゲームの終わりに、あなたのブースのプリンターが、トータルでどれだけ賭けて負けたのか、あなたがトータルどれだけ勝ったのかを、あなたのアカウント番号の最後の４桁、日時、Blue Nickelのロゴと住所、あなたの名前と一緒に示しながら、レシートを印刷するわ。
Sandi（サンディ）:ＯＫ。ルーレットはどう？
Sally（サリー）：ええ。スクリーンにルーレットテーブルの絵を表示することができるわ。タイプインして賭けたい番号、例えば、“１０”を入力した後にＥＮＴＥＲ ＫＥＹを入力して、その後に賭けたい金額をタイプしたらまたＥＮＴＥＲ ＫＥＹを入力して。各番号ごとに行なうことができるわ、つまり番号の入力とその番号への賭け金の入力です。あなたが賭けたいと望む番号と賭け金がルーレットが回る時間までに入力されなかったら、あなたの賭けはカウントされません。ゲームの終わりに、あなたのブースのプリンターが、トータルでどれだけ賭けて負けたのか、あなたがトータルどれだけ勝ったのかを、あなたのアカウント番号の最後の４桁、日時、Blue Nickelのロゴと住所、あなたの名前と一緒に示しながら、レシートを印刷するわ。
Sandi（サンディ）:ＯＫ。Blue Nickel Race Trackでの今日の第５レースの２番目にけりをつけるため、Blue Noteに１，０００ドルを賭けたいわ。
Sally（サリー）:やったわ。レシートがプリントされている？
Sandi（サンディ）:ええ。
Sally（サリー）:それは、あなたが、Blue Nickel Race Trackでの今日の第５レースの２番目にけりをつけるため、Blue Noteに１，０００ドルを賭けたことを示していますか？
Sandi（サンディ）:ええ、そうなっているわ。
Sally（サリー）:レシートをなくさないでね。すぐにBlue Noteが来るなら、あなたのアカウントに賞金が転送されるわ。他に何かありますか？
Sandi（サンディ）:結構です。
Sally（サリー）:どうもありがとう、サンディ。さようなら。
Sandi（サンディ）: さようなら。
サリーの画像がスクリーン２４から消える。サンディはレシートを受け取り、ブース１０から去る。
【０１５０】
記録ブースNexueを用いたSuper Network駆動によるパフォーマンス
本発明の重要な別の実施例において、記録ブース１０は、製品又はサービスを宣伝又は広告するために広範囲なネットワークのノードの結び付きがありことである。そのネットワークは、造語の“Super Network（スーパーネットワーク）”とあらわされる。なぜなら、ネットワークの広大なサイズと、ネットワークが供給する多数の広告機会のためである。ネットワークは、１以上のブース１０に記憶されたパフォーマンスから派生し、そして派生される。どんな企業もこのようなネットワークに広告するだろう。しかしながら、後述するように、GENESISがGOOGLE（登録商標）に匹敵するインターネット検索エンジンであり、GENESISがネットワークに広告をする完全な権利を購入したと仮定しよう。また、STUDIO ONE会社がオーナーであり各ブース１０のオペレータであり、STUDIO ONEインターネットウェブサイトのオーナー／オペレータであると仮定しよう。
【０１５１】
Ａ．パフォーマンス前のネットワークノード
可能性としてあるパフォーマンス前のネットワークノードは、図３１に示され、STUDIO ONEインターネットウェブサイト、STUDIO ONEインターネットウェブサイト１０１のブース１０の仮想ツアー１０１、STUDIO ONEブース１０のサイトでの登録１０３、及びブース１０の外部にある宣伝バナー及びスクリーン１０４を含む。GENESISが各ノードで広告する方法は、所望のように変えることができ、以下の例を提供する。
【０１５２】
各人がSTUDIO ONEインターネットのウェブサイトでオンライン登録をするとき、宣伝メッセージ“Powered by GENESIS（登録商標）”がメニュー又はディスプレイ上にあらわれる。それは、各人が登録しているときにも、各人のコンピュータスクリーン上にあらわれる。図３６は、各人がSTUDIO ONEブース１０を使用するためにインターネットに登録しているときにあらわれるであろう最初の３つのメニューを示している。各人がインターネットで登録プロシジャーを開始するとき、図３６のトップメニューがあらわれる。このメニューは、“STUDIO ONEへようこそ”で始まる。各人は、トップメニューを進ませるため、マウスを用いて“ここを押すとスタートします”をクリックする。次のメニューがあらわれる。図３６の真ん中に示すメニューは、“セッション選択”をきくことを含んでいる。各人がセッションを選択した後、マウスを用いて“次に進む”をクリックすることによって本メニューの次に進ませる。スクリーンからこのメニューが消えると図３６の下部に示すメニューがあらわれる。その他もろもろ、登録が処理される。各メニューは、宣伝メッセージ“Powered by GENESIS（登録商標）”の形式で、GENESISに関する広告を含んでいる。もちろん、GENESISの広告又は宣伝の構成は、所望の形式をとることができる。
【０１５３】
図３１において、記録ブースはブースの上部あたりに広がる、動くバナーを含む。宣伝メッセージ“Powered by GENESIS（登録商標）”は、図３１に示すように、動くバナーにあらわれる。GENESISの他の広告を、外のディスプレイ又は記録ブース１０のディスプレイ・スクリーンにあらわすようにできる。
【０１５４】
各人がSTUDIO ONEウェブサイトで記録ブース１０の仮想ツアーをするとき、GENESISの広告構成要素はブース１０、ディスプレイ・スクリーン、登録プロシジャーなどの演出に含めることができる。
【０１５５】
Ｂ．パフォーマンス記録中に使用可能なネットワークノード
ブース１０においてパフォーマンスの記録中に使用可能なネットワークノードを図３２に示す。これは、有効カード１０５及びSTUDIO ONEブース１０６内のディスプレイ・スクリーンを含む。GENESISが各ノードで広告する方法は、所望のように変えることができ、以下の例を提供する。
【０１５６】
図３５に示すように、有効カードは宣伝メッセージ“Powered by GENESIS（登録商標）”を含むことができる。カードを保有する各人がブース１０内にカードを挿入するとき、各人は意識するかしないにかかわらず、宣伝メッセージを閲覧するだろう。
【０１５７】
ブース１０内のディスプレイ・スクリーンは、広告要素GENESISを含む。図３４は、一連の３つのメニューを示し、これらはパフォーマンスを記録するためにブース１０内に各人が居るときにあらわれる。図３４のトップメニューは、上部に“ようこそ！”を含む。各人がトップメニューに示された命令に従い、そして彼女の有効カードを挿入すると、トップメニューが消えて次のメニューがあらわれる。そのメニューには、上部に“SANDI MARTIN”を含む。Sandi Martinが自分のパフォーマンスを完了すると、図３４に示す下部のメニューがあらわれる。このメニューは、上部に“あなたのパフォーマンスが終わりました”を含む。図３４に示す各メニューは、宣伝メッセージ“Powered by GENESIS（登録商標）”を含む。GENESISに関する所望の視覚、音声、又は他の広告要素を、メニューや、スクリーン若しくはブース１０の他のエリアにあらわれる他のディスプレイの中に含ませたり組み込むことができる。
【０１５８】
Ｃ．パフォーマンス後に使用可能なネットワークノード
図３３は、パフォーマンス後のネットワークノードを示し、それは各人がブース１０内でパフォーマンスを記録した後に生じる。これらのノードは、STUDIO ONEウェブサイト（ここでは、各人が記録パフォーマンス１０７を閲覧する）、STUDIO ONE１０８が開催するMY STUDIO個人的ウェブサイト、コンテストプロバイダーのウェブサイト/位置１０９、個人的関係ウェブサイト１１０、医療施設ウェブサイト１１１、薬局ウェブサイト１１３、雇用エージェンシーウェブサイト１１２、ブース１０でパフォーマンスを記録する人の友人、家族のウェブサイト１１５，カジノウェブサイト１１４、及び将来の雇用主のウェブサイト１１６を、制限なく含む。
【０１５９】
ノード１０７に関し、各人がブース１０内でパフォーマンスを記録し、閲覧するためのSTUDIO ONEウェブサイトにそのパフォーマンスを伝送した後に，各人はSTUDIO ONEウェブサイトを訪れる。各人が自分のパフォーマンスを閲覧するとき、宣伝フレーズ“Powered by GENESIS（登録商標）”（又は他の所望のGENESIS広告構成要素）がパフォーマンスの開始で、パフォーマンスの他の所望な場所で、又はSTUDIO ONEウェブサイトであらわれる。本発明の特定の実施例の場合、宣伝フレーズ“Powered by GENESIS（登録商標）”（又は他の所望のGENESIS広告構成要素）は、記録パフォーマンスとともに動き、その結果、パフォーマンスが演じられたり閲覧されたりするときはいつでも、この宣伝フレーズは、パフォーマンスの間少なくとも一時的にはあらわれる。
【０１６０】
ノード１０８に関し、各人は、インターネットで他人とコミュニケーションするのに用いたり、各人が所望の絵、音楽、フィルムクリップなどを組み込むことができる自分のMY STUDIO個人的ウェブサイトをもつための選択をしてもよい。各人は、自分のMY STUDIO個人的ウェブサイトに、ブース１０内で記録したパフォーマンスを格納することができる。宣伝フレーズ“Powered by GENESIS（登録商標）”は、この個人的ウェブサイトにあらわれたり、記録パフォーマンス内にあらわれたりすることができる。
【０１６１】
ノード１０９に関し、ブース１０内で記録したパフォーマンスは、ウェブサイト、又はコンテストプロバイダー若しくはプロバイダーのエージェントが閲覧するコンテストプロバイダーの他の場所で受信されるとき、宣伝フレーズ“Powered by GENESIS（登録商標）”は、記録パフォーマンスとともに動き、そして記録パフォーマンスの閲覧の間少なくとも一時的にはあらわれる。同様に、宣伝フレーズ“Powered by GENESIS（登録商標）”は、記録パフォーマンスがノード１１０〜１１６で閲覧されるとき、記録パフォーマンスとともに動き、そして記録パフォーマンスの中にあらわれる。
【０１６２】
個人的関係ウェブサイト１１０は、交際することや結婚することを試みようとして個人情報を提出するウェブサイトを含む。上述したように、記録ブース１０は、このようなウェブサイトへのポータルとして作用することができる。ブース１０は、ブース１０内のパフォーマンスを記録し、適当な情報を入力するという意味において、各人の“first stop”となり得る。また、記録パフォーマンスもち、そしてはじめに個人関係ウェブサイト１１０で登録するため個人関係ウェブサイトに伝送した適当な情報をもつ。
本発明の他の実施例において、各人はブース１０を使用する前に個人関係ウェブサイト１１０でアカウントをすでに登録し且つ確立し、その後にブース１０で記録されたパフォーマンスが、前に確立されたアカウントに組み込まれるよう個人関係ウェブサイト１１０に伝送される。各人の記録パフォーマンスが個人関係ウェブサイトに伝送されるとき、顧客、又は交際や結婚などを試みようとしてウェブサイト１１０にアクセウェブする他人によるパフォーマンスの閲覧が一般的に理解される。
【０１６３】
ブース１０が、カジノ１４４で、病院若しくは薬局若しくは他の医療施設で、雇用エージェントなどで、他人とリアルタイムビデオ会議のために使用されるとき、これらの場所で各人が閲覧されるブース１０内のビデオは（典型的には、ビデオ会議の実施に干渉しない形で）、署名欄“Powered by GENESIS（登録商標）”を含んだり、他の所望の広告要素や宣伝GENESISを含んだりすることができる。
【０１６４】
ブース１０で記録されたパフォーマンスが写真からなるとき、署名欄“Powered by GENESIS（登録商標）”はその写真の底部又は後方に含めることができる。好ましくは写真の所望の効果には干渉しない形がよい。
【０１６５】
本発明のネットワークの好ましい一実施例は、ネットワーク内の多くのノード、それゆえこのノードに関係する広告が、非常に多くの人によって閲覧されるであろう。これを以下のテーブルに示す。
【０１６６】
テーブル１：ネットワークノードの視る観客候補
ノード 観  客
１００：STUDIO ONE
インターネットサイトでの登録                      パフォーマー
１０１：インターネットサイトでの
STUDIO ONEブースの仮想ツアー                      パフォーマー；公衆
１０４：ブース外のサイトでの宣伝スクリーン        パフォーマー；公衆
１０３：STUDIO ONEブースサイトでの登録            パフォーマー
１０５：有効カード                                パフォーマー
１０６：ブース内のサイトでの宣伝スクリーン        パフォーマー
１０７：記録パフォーマンスを閲覧する
STUDIO ONEウェブサイト                            パフォーマー；公衆
１０８：STUDIO ONE開催のMYSTUDIO
ウェブサイト                                      パフォーマー；公衆
１０９：コンテストプロバイダーの
ウェブサイト/位置                                コンテストプロバイダーの従業員、公衆
１１１：医療施設                                  医者、他の医療関係者
１１２：雇用エージェンシー                        雇用エージェンシー関係者、
ウェブサイト/位置                                 様々な雇用者
１１３：薬局ウェブサイト                          薬剤師
１１４：カジノウェブサイト                        カジノ従業員
１１５：友人、家族                                友人、家族
１１６：将来の雇用主のウェブサイト                雇用者の人事部門
【０１６７】
記録ブース１０及びそこで記録されたパフォーマンスは、ネットワーク内の様々なノードと一緒にリンクする接着剤であり、本発明のネットワークを形成する。宣伝攻勢要素をネットワークに組み込むことは、多大な観客で宣伝ネットワークをプロデュースし、その宣伝ネットワークは、ネットワーク上の企業や個人広告が制限されるときに、特に効果的となり得る。ネットワーク上の多数の広告主が所望の数であるのだが、一実施例においては、その広告主の数は１〜５、好ましくは１〜２の範囲にあり、最も好ましいのは１つである。
【０１６８】
パフォーマンスフォーマットの定義と、風景環境の背景の統合
本発明の他の重要な特徴は、パフォーマンスをフォーマットするシステムであり、本発明の他の特徴におけるケースでもそうであるように、商業的な実行可能性及びブース１０の実際の使用を改善することに意義がある。
【０１６９】
パフォーマンスをフォーマットする最初のステップは、ブース１０で記録されたパフォーマンスの一部のみを含む所望のカテゴリーにそれを配置することによってパフォーマンスの種類を定義することである。しかしながら、このようなカテゴリーは望ましくは以下の例に示すように定義される。
【０１７０】
パフォーマンスのカテゴリーの一つは、１番目のコンテストに入力されたすべてのパフォーマンスを含む。その結果、１番目のコンテストの各パフォーマンスは、ある種のパフォーマンスを含む。パフォーマンスの第２のカテゴリーは、１番目のコンテストとは異なる２番目のコンテストに入力されたすべてのパフォーマンスを含む。その結果、２番目のコンテストの各パフォーマンスは、２つめの種類のパフォーマンスを含む。パフォーマンスの第３のカテゴリーは、モデルの全身の写真ショットに関するすべてのパフォーマンスを含む。その結果、モデルの全身の写真ショットのそれぞれは、３つめの種類のパフォーマンスを含む。パフォーマンスの第４のカテゴリーは、家族のポートレートを含む。その結果、各ポートレートは、４つめの種類のパフォーマンスを含む。パフォーマンスの第５のカテゴリーは、求人の申込みのために提出されるインタビュー若しくは他のパフォーマンスを含む。その結果、その各パフォーマンスは、５つめの種類のパフォーマンスを含む。パフォーマンスの第６のカテゴリーは、付き合い若しくは交際に関する広告に対する個人関係ウェブサイトに提出されるパフォーマンスを含む。その結果、個人関係ウェブサイトに提出されるパフォーマンスのそれぞれは、６つめの種類のパフォーマンスを含む。
【０１７１】
パフォーマンスの種類が定義されると、そのパフォーマンスはさらに、当該種類に関する少なくとも１つの風景環境の背景を選択することによってフォーマット化される。背景は、選択された地理的な位置を定義することによって、必要であれば所望にメークアップしたり背景の文脈を遅疑することによって選択される。
【０１７２】
例えば、１番目のコンテストを含むカテゴリーに提出されたパフォーマンスは、カリフォルニアのハリウッドの地理的位置に関係する特有の背景を要求する。これは、ハリウッドの特別なスタジオでの音楽ステージを含むコンテストを含む。２番目のコンテストを含むカテゴリーに提出されたパフォーマンスは、ハワイの地理的位置に関係する特有の背景を要求する。これは、ハワイにある特別なベンチを含む。モデルの全身の写真ショットを含むカテゴリーに提出されたパフォーマンスは、特定の地理的位置を要求しないかもしれない、そしてファッションショーで及び出るが使用するステージ通りを要求する。家族のポートレートを含むカテゴリーに提出されたパフォーマンスは、特定の地理的位置を要求しないかもしれない、そして単純な白い背景を要求する。求職インタビューを含むカテゴリーに提出されたパフォーマンスは、特定の地理的位置を要求しないかもしれない、そして星条旗があるオフィス背景を要求する。
【０１７３】
風景の背景が決定されると、パフォーマンスのフォーマットは、次に、背景のアナログ又はデジタル画像を用意することである。これは、典型的には、特定のステージ、ビーチなどの写真をとったり、選択されことで達成される。しかし、コンピュータ又は他の望ましい手段で背景をデザインすることでも達成される。
【０１７４】
背景の画像が用意されると、パフォーマンスのフォーマットは、次に、アナログ又はデジタルの画層を呼び出し用に格納することである。本発明の一実施例の場合、背景の画像は、オーナーのウェブサイト若しくはブース１０のオペレータで、テープなどのデジタル的に格納される。そして、その特定の背景画像がブース内の特有の種類のパフォーマンスのために選択されるとき、ブース１０に伝送される。本発明の別の実施例において、背景の画像は、ブース１０でグラフィックソースコンピュータ１４０（図４６）のメモリに格納されたり、ブース１０で他の望ましいフォーマットに格納される。
【０１７５】
ブース１０を使用する各人が、ブース１０でのオンラインウェブサイトで若しくは他の望ましい場所の何れかで登録するとき、複数のパフォーマンスカテゴリーが提供され、そこから各人は少なくとも１つのカテゴリーを選択することができる。上述したように、これに限定するわけではないが、そのようなカテゴリーは、１番目のコンテスト、２番目のコンテスト、全身モデルコンテスト、家族のポートレートなどを含むことができる。したがって、各人が特定のカテゴリーを選択するとき、パラメータの種類が選択される。本発明の一実施例において、パフォーマンスのカテゴリーを選択することは、使用されるであろう風景の背景を決定することである。例えば、各人がコンテストを選択する場合、そのコンテストはニューヨーク市の地理的位置及びニューヨーク市のスカイライン１３３からなる望ましいメーキャップによる風景背景の使用を要求する。そして、各人がブース１０のパフォーマンスを実施するとき、パフォーマンスはその特定の背景１３３を各人のパフォーマンスに自動的に組み入れる。本発明のさらに別の実施例において、背景１３３が各人のパフォーマンス中に呼び出されるとき、パフォーマンスの間、背景１３３は各人１３２とともにスクリーン２５にあらわれる。その結果、各人は図３８に示した方法で同時に両方を閲覧することができる。
【０１７６】
本発明のさらに別の実施例において、ブース１０を使用するために登録しながらパフォーマンスの種類を選択するとき、各人は２以上の背景のリストから風景背景を選択するオプションが与えられる。例えば、各人が有名人と一緒に写真に載っているパフォーマンスを選択する場合、湯名人の候補のリストがあらわれる。例えば、そのリストは、Paris Hilton, Jennifer Aniston, Brad Pittを含む。各人がこのリストから１人の有名人を選ぶ。Jennifer Anistonを選択する場合、各人のパフォーマンスが始まると、Jennifer Anistonの絵を含む背景が使用され、好ましくはその各人とともにスクリーン２５上にあらわれる。その結果、各人はJennifer Anistonの絵に関して自分の位置決めをする。
【０１７７】
風景背景を各人のパフォーマンスに統合することは、図３７、３８、及び４６の引用とともに詳細に説明される。図３７、３８、及び４６に関する議論を思い出す目的のために言うと、各人１３２の名前はSandi Martinである。Sandiがブース１０を使用するために登録するとき、彼女はモデルコンテストを選択する。コンテストで要求されるパフォーマンスの種類には全身ショットを含む。（望ましくは、そのコンテストは２以上の異なる種類のパフォーマンスのメニュー阿から１種類のパフォーマンスを選択するコンテスト人を許可し、そして他のコンテスト人が提出するメニューに記載された他の種類のパフォーマンスに対して判断される選択されたパフォーマンスを提出することが許可されている。）
【０１７８】
モデルコンテストを実施するエンティティは、まず、一つの背景１３３を呼び出すための選択及び格納を行なうことによって、Sandiのパフォーマンスの種類を、ニューヨーク市の位置、及びニューヨーク市のスカイラインの絵からなる望ましい内容によってフォーマット化する。（望ましくは、２以上の背景が選択され、コンテスト人は複数の背景の一つのみを選択する機会が与えられる。）
【０１７９】
Sandiがモデルコンテストを選択するとき、この背景は、ブース１０内のコントロールスシステムによって自動的に指定され且つ選択され、Sandiのモデルパフォーマンスとともに使用される。背景１３３は、普通は他の種類のパフォーマンスのための別の異なる背景と一緒に、グラフィックソース１４０（図６）に格納される。ブース１０内のSandiモデルパフォーマンス１３２の間、彼女は図３７に示すような方法で、スクリーン１３１の前に立つ。スクリーン１３１は、所望の色及び所望のデザインである。例えば、スクリーンは、緑又は青又は他の色で塗られた垂直面の壁を含むことができる。或いは、スクリーンは、緑又は青又は他の色を呈する白の垂直面の壁を含むことができる。というのは、緑光、青光などは壁を明るくして緑又は青にするために壁に向けられているからである。
本発明の重要なポイントは、このスクリーンは“クロマ（彩色）キー”スクリーンを含むことである。このようなスクリーンを含む織物又は他の材質は、普通は緑色、青色又は灰色をもつ。緑色及び青色のスクリーンは、光源がスクリーン全体を統一的にテラスように注意深く調整しなければならないので、使用するのが難しいのが一般的である。好ましい“クロマ（彩色）キー”スクリーンは、CROMATTE（登録商標）の織物スクリーンである。これは、Refecmedia EMEA of Road One, Winsford Ind Est., Winsford, Cheshire, CW73QQ, United Kingdom, www.reflecmedia.comで製造されている。CROMATTE（登録商標）スクリーンを含むこの織物は、従来の青及び緑色の材質とは異なり、灰色である。
【０１８０】
灰色のCROMATTE（登録商標）織物スクリーンは、反射器のような作用をして、光源からスクリーンまで発散する光を返す沢山の小さなガラス玉を含む。この光は、スクリーンの後ろから光源に向かって反射される。その結果、図３７において、小さな緑の光のリングが隣接して配置され、そしてカメラ２１のレンズのまわりに円周状に広がる場合、そのリングからの光がCROMATTE（登録商標）織物を構成しているスクリーン１３１に向かって移動し、スクリーン１３１からカメラレンズに戻って反射される。したがって、スクリーン１３１は、カメラ２１にとって緑であるようにみえる。リングからの光がオレンジであるなら、スクリーン１３１はカメラにとってオレンジであるようにみえたであろう。CROMATTE（登録商標）織物スクリーン１３１は、カメラ２１とスクリーン１３１の間に立つSandi Martinのような各人の背後を統一的な緑、青などでプロデュースする。
【０１８１】
図３７に示すように、スクリーンの物資は、Sandi１３２の後ろの垂直な壁から、ブース１０の床を起点として水平に広がり、その結果、Sandi１３２の後ろの床は、Sandi１３２の後ろの壁と同じ色をもつように見える。
【０１８２】
図３６に示すように、Sandiのモデルパフォーマンスの間、カメラ２１はSandi１３２と、Sandiの背後を青又は緑で色づけられたスクリーン１３１をあらわす信号をプロデュースする。これらの信号は、キーカード１４１に伝送される。また、カメラ２１からの信号は、Sandi１３１によってスピーチや歌などをモニタするマイクによってプロデュースされた音声信号を含む。同様に、Sandiのパフォーマンスのために選択された背景１３３をあらわす信号は、グラフィックソース１４０からキーカード１４１に伝送される。上述したように、Sandiのパフォーマンスのため背景１３３は、Sandiがブース１０を使用して彼女のパフォーマンスの一つを記録するために登録する際に選択される。Sandiによって選択されたパフォーマンスの種類の結果として自動的に、或いは２以上の背景の選択が特定の種類のパフォーマンスのためにSandiに提供される場合はそのSandiによって、背景１３３はブース１０内のコントロールシステムによって選択される。キーカード１４１は、カメラ１２１から及びグラフィックソース１４０からの信号を組み合わせ、そしてクロマキー１４２プロセッサに伝送する。
プロセッサ１４２は、をプロデュースしたり、スチール絵若しくはSandiが占めていないビデオの全領域に背景１３３を描く可聴信号をプロデュースする。Sandiが自分のパフォーマンスを記録している一方で、Sandiが閲覧するスクリーン２５に、決定されたクロマキーのスチール絵又は可聴信号が直接伝送される。また、決定されたクロマキー信号は、システム１４３のメモリに格納するため、記録システム１４３（又は他の望ましい受信側若しくは場所）に伝送される。そして、決定されたクロマキー信号は、システム１４３及びブース１０から、ブース１０のオーナー若しくはオペレータのウェブサイトのような選択された受信側に伝送される。また、決定されたクロマキー信号は、Sandiのパフォーマンスを含むＤＶＤ１４６をプロデュースし配布するブース１０内のＤＶＤ記録／出力機器１４５に伝送される。ＤＶＤ１４６は、ブース１０の内外の所望の場所で取り出しトレイの中へ排出され得るが、目下のところ、Sandiがブース１０を出てブース１０外のＤＶＤ取り出しトレイに歩かなければならないような、ブース１０外に置かれた取り出しトレイの中に排出される。
【０１８３】
上述した写真は、カメラ２１及び写真ソース１４０からの信号をキーカード１４１へ送信するプロセス、キーカード１４１からの信号をクロマキープロセッサ１４２へ送信するプロセス、クロマキープロセッサ１４２からの信号をシステム１４３へ送信するプロセス、システム１４３からの信号をＤＶＤ記録／出力機器１４５へ送信するプロセス、そしてＤＶＤをプロデュースし配布するプロセスを示している。重要なことは、この全体のプロセスは、望ましくは自動的に起こり、ブース１０内の各人がまさに終わらせるパフォーマンスのＤＶＤをすばやくプロデュースし配布することが不可欠である。パフォーマンスの間、信号がカメラ２１及びソース１４０からＤＶＤ記録／出力機器１４５へと連続して流れ、その結果、パフォーマンスの一部がＤＶＤに記録されたり出力される。また同時に、パフォーマンスのリマインダーが起こり、パフォーマンスの最後の部分をＤＶＤに記録することがパフォーマンスの完了の後すぐ若しくは同時に生じる。或いは、パフォーマンスは、カード１４１、キー１４２、システム１４３、ＤＶＤ記録／出力機器１４５又はプロセス経路に沿った別のポイントで記録され、そして全体のパフォーマンスが終了した後でＤＶＤに出力され記録される。ブース１０内で消費される各人の時間を最少にすることは、ブース１０の商業上の実現性を高めるのに重要である。
【０１８４】
ポートレート及び風景絵の出力を提供すること
カメラ２１の詳細が図４０〜４３に示されている。カメラ２１は、Fujinon SDTVレンズ１３４と、カメラボディ１３５と、回転テーブル１３７を含む。カメラ２１は、図４１の矢印１３９が示すようなレールボックスに沿って垂直に上下して動く。カメラ２１のこのような垂直の動きは、ジョイスティック又は他の所望のコントロールユニットを用いてブース１０内の各人によって制御される。カメラ２１の縦軸はブース１０内の各人１３及びスクリーン１３１の垂直方向に対して直立する。所望ならば、図４２の矢印１４６が示すような上向きにカメラ２１を傾けたり、又は下向きに傾けたりして、カメラの垂直軸がスクリーン１３１の垂直方向部分又はブース１０内で立っている各人１３２に対して角度をつけるようなシステムを提供することができる。
【０１８５】
図４１の矢印１３８が示すように、テーブル１３７はレンズ１３４及びボディ１３５を２つの操作位置間の９０度移動により回転する。最初の操作位置で、カメラ２１はブース２１内に立っている各人の“風景的な”絵をプロデュースし、それは図３０のディスプレイ・スクリーン２５に示されるようなタイプの絵である。したがって、それは人の約５０％〜７０％を含む。カメラ２１の垂直位置を制御する各人は、絵の中に顔を含ませたいと望むのが普通なので、カメラ２１が最初の操作位置にあるとき、スクリーン２５で絵にならないのは、顔からはじまって体の下方向に向かい、体の５０％〜７５％を含むのが典型的である。
【０１８６】
カメラ２１が最初の操作位置から第二の操作位置に９０度回転するとき、カメラ２１はブース１０内に立っている各人の全身の“ポートレート”絵をプロデュースする。カメラ２１がプロデュースする絵は、スクリーン２５に表示する方向を何らの処理なく伝送するならば、図４５に示されるように各人１３２が水平方向に向くようにあらわれる。これを補正するために、ソフトウェア又は他のコントロールがカメラ２１によってプロデュースされた絵を９０度回転する。このソフトウェア又は他のコントロールは、決定されたクロマキー信号が受信されディスプレイ・スクリーン２５によって表示される前に、キーカード１４１、クロマキー１４２又は他の位置に置くことができる。その結果、全身の絵がスクリーン２５及び記録システム１４２に到達するとき、図３８に示すようにまっすぐに立っている。
【０１８７】
１以上のブース１０のオーナー又はオペレータが使用するインターネットのホームページの模造を図４４に示す。図４４のSTUDIO ONEホームページは、必要ならば、情報を挿入して、次にウェブページの所望の部分をクリックして関連する次のウェブページに飛ぶという従来の方法で操作される。例えば、彼女が、ブース１０で彼女のパフォーマンスＮｏ．５２を行い記録した後、Sandi Martinが図２７に示すような有効カードを保持する場合、彼女は、図４４のウェブページの左下角の“有効コード＃”情報に、彼女の有効ナンバー５６２３８９ＸＴ（図２７）を挿入し、その情報の右の“進む”ボタンをマウスでクリックして、彼女のパフォーマンスを格納しプレイするウェブサイトのエリアに行く。
【０１８８】
同様に、図４４のウェブページの左下角に、“ユーザ名”及び“パスワード”を含むボックスがある。Sandiはこれらのボックスに、彼女の名前とパスワードをタイプして別のウェブサイトをアクセスすることができる。そのウェブサイトの部分には、各人が彼ら自身に関する情報をリストし、他の同様のウェブサイトでコミュニケーションすることを許可するMY PLACE（登録商標）若しくは他の“パーソナル”ウェブサイトに似た“MYSTUDIO”ウェブサイトを含む。
【０１８９】
図３９に示すように、各人が有効カードを使用してSTUDIO ONEウェブサイトにあるパフォーマンス１１８にアクセスすると、各人はそのパフォーマンスを各人のパーソナルMYSTUDIO”ウェブサイトに伝送することを選択することができる。本発明の別の実施例では、１以上の継続中のコンテスト又はSTUDIO ONEウェブサイト若しくは他のウェブサイトでの可能性としてある受け手を識別１２３した後、各人は、そのようなコンテストに入るためにSTUDIO ONEウェブサイトに格納したパフォーマンスを、コンテスト若しくは他の受け手に伝送することができる（１２４）。STUDIO ONEウェブサイトは、選択された制限時間、又はブース１０内の各人が行い且つ記録した無制限時間のパフォーマンスを記録することに同意する。
【０１９０】
本発明の別の実施例において、各人が、MYSTUDIOウェブサイト（あるいはある他の名前のパーソナルウェブサイト）に伝送し且つ格納したパフォーマンスをもつならば、１以上のコンテスト１２８、１２９又は他の可能性のある受け手１３０を識別１２５した後に、各人はパーソナルウェブサイトからのパフォーマンスを、コンテスト若しくは受け手による考慮のために選択されたコンテスト若しくは受け手に対して、そのパフォーマンスを伝送することができる。本方法では、各人は、ブース１０に専門的に記録されたパフォーマンスを何度も繰り返して利用することができる。記録パフォーマンスを便利に繰返し利用できることは、MYSTUDIOウェブサイト４４が継続してウェブサイトを訪れるトラフィックを生成することを保証する手助けとなるので、この実施例は重要である。
【０１９１】
生又は時間遅延のあるブロードキャストの伝送
本発明の別の実施例を図４７に示す。遠隔場所でのインタビューする人（インタビュアー）の視聴覚がスタジオブースの送受信機１４７によって受信され、ブース内に表示される。その結果、インタビューする人のビデオがブース内のスクリーン１５０にあらわれ、そしてスタジオブース内の顧客（即ち、パフォーマー）はスクリーン１５０を閲覧し、インタビュアーの声を聴く。同時に、スタジオブース内のカメラ−マイクシステムは、ブース内の顧客の音声及びビデオをプロデュースし、インタビュアーの隣に配置されたスクリーン及び音声スピーカーに同じものを伝送する。その結果、インタビュアーは、顧客がインタビュアーに対して見聞きしているのと同時に。顧客に対して見聞きすることができる。この形式の場合、インタビュアーは顧客のインタビューを実施することができる。インタビュアーは複数のの遠隔テレビ、コンピュータ、他のディスプレイ・スクリーン１５１、１５２、１５３にブロードキャストされる。このブロードキャストは、光ファイバー、赤外線又は他の電磁気信号を用いながら、ケーブルや衛星などを介して実現される。
【０１９２】
携帯電話又は他の遠隔モバイルメディアプレーヤーに対するパフォーマンスの伝送
本発明の別の実施例を図４８に示す。スタジオブース１０で記録されたパフォーマンスは、ブース１０に隣接する送受信機１５４を介して伝送される。パフォーマンスは、光ファイバー、赤外線又は他の電磁気信号を用いながら、ケーブル、衛星、携帯電話伝送タワーなどを介して伝送される。パフォーマンスは、携帯電話や他の遠隔モバイルメディアプレーヤーに、インターネットウェブサイト１５７に、他の選択されたあて先１５８での受信機に伝送される。
【０１９３】
遠隔モバイルメディアプレーヤーからスタジオブースに対するパフォーマンスの伝送
本発明の別の実施例を図４９に示す。パフォーマンスは、遠隔モバイルメディアプレーヤー１６０からブース１０に隣接する送受信機１５４に送信される。パフォーマンスは、プレーヤー１６０から、光ファイバー、赤外線又は他の電磁気信号を用いながら、ケーブル、衛星、携帯電話伝送タワーなどを介して伝送される。パフォーマンスは、ウェブサイト１６１に、ブース１０のオーナー若しくは及びオペレータが操作する処理ロケーションにも伝送される。図４９のオーナーはSTUDIO ONEを指定する。
【０１９４】
スタジオブースにおける伴奏音楽の選択
本発明の別の実施例を図５０に示す。スタジオブース１０を使用して登録する顧客は、伴奏音楽の効果を選択するオプションを提供される。図５０は、顧客がブースを使用して登録するとき、又はパフォーマンスを記録するための準備にブース内に居るとき、顧客に提供される様々なスクリーンの一つを示す。図５０において、顧客は、ブース外の場所に居て、パフォーマンスを記録するためにブースを使用して記録していると仮定する。ブース外の顧客ロケーションのひとつは、ブースで提供される登録ステーションの一つである。ブース外の顧客ロケーションの別の可能性のあるものとしては、パフォーマンスを記録するためにブースを使用するインターネットウェブサイトで登録する顧客のコンピュータである。
【０１９５】
図５０において、登録プロセスの間、顧客は双方向通信のスクリーンディスプレイ１６３で歌を選択するオプションが与えられる。顧客が歌を選択し、ステップスクリーンの“続く”を指で押すと、次のディスプレイ１６４がスクリーン上にあらわれる。ディスプレイ１６４は、顧客に伴奏音楽の効果を選択するオプションが与えられる。顧客はディスプレイ１６４に示された１以上の選択の終わりでボックスを指で押すことによって選択をする。これに限定するわけではなく、一例としてだが、顧客は、先に“パフォーマンスの終わりに拍手”を押し、その後に“続く”を押して、次の画面１６５をスクリーン上にあらわすようにする。ディスプレイ１６５は、顧客が、望むのであれば、音楽効果をあらかじめ聴くようにでき、その後で顧客は次のディスプレイを出すためにスクリーン上の“続く”を押す。
【０１９６】
イルージョン（幻想）
本発明のスタジオブースの利点の一つは、顧客（即ち、パフォーマー）が制限された範囲でないブースを用いていることを現実的におもわせるような写真又はビデオをプロデュースすることである。かわりに、それは、より大きくて且つブースの内部の様子とはかなり異なる風景背景をもつロケーションである。本発明のブースの様々な特徴は、この幻想をプロデュースすることが不可欠である。
【０１９７】
Ａ．スタジオブースの制限されたサイズ。スタジオブースは、
床又は地面上に水平方向に多角形の設置面積によって領域区画されるように定義された設置面積（つまり、周辺領域をもつ設置面積）に収まる空間ボリュームを占有する。そして、地面に直角をなし、設置面積周囲の各サイドから上方向に広がる垂直方向の設置平面によって区画される。例えば、スタジオブースが一面が１０フィートの立方体のような形状をしている場合、ブースが占める空間ボリュームは、１０×１０×１０＝１０００立法フィートである。設置面積の面は、スタジオブースの高さに等しい高さに上方に向かって拡大する。ブースの高さは、所望に変えられる。多角形は、三角形、矩形（平方形を含む）、五角形、六角形、八角形などのような単純な凸型多角形である。多角形は幅をもち、その幅に垂直な長さをもつ。少なくとも、長さ又は幅のいずれかは、多角形の１つのサイドに平行な線に沿って計測される。幅と長さは、１つのサイド若しくは多角形の点から、他のサイド若しくは多角形の点までの完全な距離に及ぶ。スタジオブースによって占められる完全な空間ボリュームが実質的に設置面積ボリューム内に収まるとき、スタジオブースは設置面積ボリュームに収まる。スタジオブースによって占められる全空間ボリュームの少なくとも９５％が設置面積ボリューム内に収まるとき、スタジオブースの完全な空間ボリュームが実質的に設置面積ボリューム内に収まる。
【０１９８】
図５２において、多角形の設置面積エリア１７２は、矢印１７４が示す幅と矢印１７５が示す長さの六角形を含む。スタジオブースのベース（底）１７３は、多角形の設置面積エリア１７２の周辺内にある。ベース１７３から上方にひろがるスタジオブースの部分（不図示）は、ベース１７３から横に外に広がらない。したがって、スタジオブースの完全なボリュームは、設置面積ボリューム内にある。
【０１９９】
図５３において、多角形の設置面積エリア１７７は、矢印１７９が示す幅と矢印１８０が示す長さの矩形（すなわち、平方形）を含む。スタジオブースのベース（底）１７８は、矩形の設置面積エリア１７７の周辺内にある。ベース１７８から上方にひろがるスタジオブースの部分（不図示）は、ベース１７８から横に外に広がらない。したがって、スタジオブースの完全なボリュームは、設置面積ボリューム内にある。
【０２００】
図５４において、多角形の設置面積エリア１８２は、矢印１６４が示す幅と矢印１８５が示す長さの三角形を含む。スタジオブースのベース（底）１８３は、三角形エリア１８２の周辺内にある。ベースから上方にひろがるスタジオブースの部分（不図示）は、ベース１８３から横に外に広がる。その部分は、スタジオブースによって占められる全空間ボリュームの２０％を占める。
【０２０１】
ベース１８３から横に外に広がる部分の空間ボリュームの半分は、三角形エリア１８２の周辺を含むサイドから上方にひろがる垂直の空間設置面積面を超える。したがって、スタジオブースのボリュームの１０％は、設置面積から外に越えて離れて広がる。これは、スタジオブースの完全なボリュームが実質的には設置面積ボリューム内にないということを意味する。
【０２０２】
図５４〜５３における設置面積の幅及び高さのそれぞれが同じならば、図５３のスタジオブースのベース１７８は、矩形の設置面積エリア１７７に関する設置面積ボリュームとなるが、図５４の三角形の設置面積エリア１８２に関する設置面積ボリューム内に収まらない。図５３のスタジオブースの空間ボリュームが、指定した幅及び長さの単純な凸体断面積をもつ少なくとも１つの設置面積ボリュームに実質的に収まる限り、スタジオブースは設置面積ボリュームに収まるものとみなせる。スタジオブースの空間ボリュームが指定した幅及び長さの多角形断面積をもつ設置面積ボリュームに収まらないという事実は、スタジオブースの空間ボリュームが指定した幅及び長さの多角形断面積をもつ異なる形状の設置面積ボリュームに収まることはないということである。
【０２０３】
本発明の好ましい一実施例において、１辺がそれぞれ１０フィートの長さの平方である多角形の設置面積ボリューム内にスタジオブースが実質的に納まる。そのような小さなブースでパフォーマンスを記録すること、各人が非常に大きな背景をもつエリアに居るということが現実的な幻想としてあらわれるようにをプロデュースすることを可能にすることは難しい。
【０２０４】
本発明の好ましい一実施例において、設置面積ボリュームを決定するのに使用される多角形は、多角形と比較して非常に小さな幅をもつことができない。そうでない場合は、比較的小さなスタジオブースを使用することは、非現実的である。したがって、多角形は、寸法パリティをもつべきである。寸法パリティは、多角形の長さとは大きく異ならない幅をもつ多角形を要求する。これは、多角形が寸法パリティをもつためには、多角形の長さに対する多角形の幅の比が１：０．５〜１：２の範囲にあることを意味し、好ましくは１：０．７５、最も好ましくは１：０．８〜１：１．２の範囲にあることを意味する。
【０２０５】
Ｂ．像の歪曲・遠近歪み（パースペクティブ）
スタジオブースでの顧客（即ち、パフォーマー）によるパフォーマンスが小さなスペースで写真化されるので、像の歪曲・遠近歪み（パースペクティブ）がうっかりして容易に実現されてしまう。パフォーマーの体の一部が他の部分に関する割合から外れた大きさであるときに、像の歪曲・遠近歪みが生じる。例えば、パフォーマーの鼻や顔が体の残りの部分に比べて異常に大きくあらわれる場合、像の歪曲・遠近歪みが生じる。
【０２０６】
本発明によれば、像の歪曲・遠近歪みを最小限にする重要なステップは、パフォーマー１３２がブース１０内のカメラ２１から最少距離に居ることを定義することである。本発明に従って構成されるブースにおいて、特に、１辺がそれぞれ１０フィート長をもつ矩形の多角形の設置面積ボリューム内に収まるブースにおいて、この最少距離は図５１の矢印１５１によって示され、且つ３フィートに等しい。
【０２０７】
像の歪曲・遠近歪みを最小化する別の重要なステップは、本発明の実現において用いられるカメラレンズに関係する。レンズのビューフィールドが上述したように変化する一方で、カメラ２１のレンズは（図５１の矢印に示すような）５２度〜６６度の範囲のビューフィールドの水平フィールドを持つのが望ましい。カメラのビューフィールドは、本来は３つのパラメータの関数である。
１．フィルムフォーマット又はイメージセンサの寸法
２．像をプロジェクトする写真レンズのフォーカス長
３．レンズ歪曲の種類と程度
【０２０８】
レンズが直線の（空間的に歪曲されていない）像をプロジェクトする場合、フィルムフォーマット又はイメージセンサの歪みは、所与のレンズのフォーカス長に関するビューアングルを完全に定義する。ビューフィールドは以下の３つの方法の一つで計測されるのが普通である。
１．（フレームの左端から右端までの）水平性
２．（フレームの上から下までの）垂直性
３．（フレームのある上部の角から反対の下部の角までの）対角性
【０２０９】
ビューフィールドをあらわす用語によって、しばしばレンズが参照される。
１．１８０度をカバーし、又は特別なケースでは更に広角な魚眼レンズとして知られている超ワイドアングルレンズ
２．一般的に１００度と６０度の間をカバーする超ワイドアングルレンズ
３．一般的に５０度と２５度の間をカバーするノーマル又は標準レンズ
４．一般的に１５度と１０度の間をカバーする望遠レンズ
５．一般的に１度よりも小さく値から８度の間をカバーする超望遠レンズ
６．特別な場合として、ズームレンズ：焦点距離、したがってレンズのビューアングルが、カメラからレンズを除去することなく機械的に変更することができるもの。
【０２１０】
Ｃ．物体背景の相対歪み
パフォーマーと背景の間の空間が異常である（即ち、あまりに近づき過ぎや、あまりに離れ過ぎのどちらか）とき、及び／又はパフォーマーが背景に比較して異常に大きく又は小さくあらわれるときに、物体背景の相対歪みが生じる。例えば、スタジオブース内でプロデュースされた記録がパフォーマーの後ろに立っているジャーマン・シェパード・ドックを示し、その犬が同じ背丈でパフォーマンスされる場合、パフォーマーは犬に比べて異常に小さくみえる。つまり、物体背景の相対歪みがある。
あるいは、スタジオブース内でプロデュースされた記録が海岸のビーチに立っているパフォーマーを示し、パフォーマーのちょうど後ろの他人の後ろにラインナップされた幾つかのやしの木があるようにみえる場合、これは物体背景の相対歪みである。なぜなら、仮に海岸に近いビーチに居る他人の背後に成育するやしの木が存在するとしても、あまりに起こりえないことだし、普通にはみえない。
【０２１１】
物体背景の相対歪みを最小化する原則の一つは、スタジオブースで記録されるパフォーマンスに組み込まれる風景背景を選択した後で、パフォーマーと背景の組み合わせが正常に見えるかどうかを決定するために、ブース内で記録されたパフォーマーと組み合わせた風景背景を実際に閲覧することである。パフォーマーと背景の組み合わせが閲覧されるとき、その組み合わせを少なくとも１２インチはなれたノーマルビュー距離で閲覧することが重要である。好ましくは、１２〜１２．４インチの範囲のビュー距離がよい。ノーマルでない距離でスチル写真又はビデオをビューすることは、写真又はビデオをアブノーマルにさせる。
【０２１２】
物体背景の相対歪みを最小化する別の方法は、１以上の背景をあらかじめ選択し、パフォーマーがそのあらかじめ選択した背景の１つを使用することを要求しておくことである。あらかじめ選択した背景は、かならずしもそうではないが、パフォーマンス又はイベントの特定の種類に相関若しくは関連して選択されるのが典型的である。例えば、パフォーマーがコンテストに参加する場合、コンテストのオーナー又はオペレータはコンテストに関係する背景を選択する。歌のコンテストである場合、背景はパフォーマーが公会堂のステージで歌っているようにみえるステージ又はステージのセッティングから構成する。パフォーマーが求人のインタビューを実施する場合、選択される背景は会議室のセッティング又はレストランのセッティングからなる。
【０２１３】
物体背景の相対歪みを最小化する別の方法、像の歪曲を最小化する方法は、パフォーマーが使用しなければならないカメラセッティングをあらかじめ選択しておくことである。例えば、パフォーマーが歌コンテストに参加している場合、コンテストのオーナー又はオペレータは、コンテストに参加しているパフォーマーの全身を写すカメラ位置又はカメラレンズ設定を選択することができる。パフォーマーがモデルコンテストに参加している場合、コンテストのオーナー又はオペレータは、望むならば、コンテストに参加しているパフォーマーの頭や肩のみを写すカメラレンズ設定を選択することができる。カメラレンズ設定があらかじめ選択されているとき、この設定は所望の方法でパフォーマーにインポーズされる。例えば、パフォーマーがスタジオブースのパフォーマンスをコンテストのために記録するために登録しているとき、ブース内で使用されるソフトウェアはあらかじめの設定で、カメラレンズ又はカメラの他の調整部分を自動的に設定し、パフォーマーがカメラを調整することを許可しないようにすることができる。或いは、パフォーマーがパフォーマンスを記録するために登録しているとき、パフォーマーはブース内に配置されたタッチスクリーンを使用してコンテスト規則の下で申し出されている２以上のカメラ位置の一つを選択する。パフォーマーがカメラ設定を選択すると、ブース内のコントロールソフトウェアは、カメラ自身が選択された設定に調整するように機能する。或いは、パフォーマーがパフォーマンスを記録しているとき、ブース内からカメラ設定をすることができ、ブースコントロールシステムは、コンテストのためにあらかじめ選択された位置にパフォーマーがカメラを調整するまで、パフォーマーがパフォーマンスを記録することを許可しない。
【０２１４】
低解像度の伝送
直後又はすぐに（即ちパフォーマーがパフォーマンスを取り消ししたり伝送しないことをブースで選択しない限り、パフォーマンスの終わった後、３０分以内、好ましくは１５分以内、最も好ましくは５分以内）、或いはパフォーマンスがスタジオブース１０で記録されている最中に、パフォーマンスはブースのオーナー若しくはオペレータが所有するウェブサイトに始めは伝送され、又は他の指定された場所に伝送される。この最初の伝送は、典型的には１０８０ライン以下の水平解像である低解像度のフォーマットでなされる。パフォーマンスは、１０８０ライン以上の水平解像を含む高解像度のフォーマットで、ブースでのコンピュータメモリに一時的に格納される。パフォーマンスは、その後（典型的には、夜に）、望むのであれば高解像度フォーマットで伝送される。低解像度―高解像度の伝送の二分法は、本発明の実際の実施及び経済的な利用性にとって重要である。というのは、比較的低コストで低解像度でのすばやい伝送が容易にすながら、一方で必要に応じて高解像度のパフォーマンスを保存しておくからである。
【０２１５】
コンテストの２方向伝送
本発明によって実施されるスタジオブース１０の経済的な実行可能性は強化される。なぜなら、ブース１０は、ブース１０から離れた選択された場所に、ブースを利用する顧客によるパフォーマンスの形式でコンテストをプロデュースし且つ伝送するからである。一方で、ブース１０はブースの内外でビデオディスプレイ１２、３２、４３、４４に写され、及び／又はブースの内外に配置されたスピーカーで音声を聴く広告若しくは他の内容を同時に受信する。
【０２１６】
パフォーマンス評価のメリット
本発明の他の実施例は、パフォーマーが独自に存在する又は他のパフォーマンスをリクエストすることを可能にする。例えば図１１の“セッションの選択”というタイトルの真ん中のメニューにおいて、申し込まれた選択の一つに、「あなたのパフォーマンス評価」であるとしよう。
パフォーマーがこの選択をする場合、その後のメニュー又はディスプレイは、パフォーマーが郵便アドレス、ｅメイル、携帯電話番号などを入力することを許可する。これらに評価レポートが転送されるのである。レポートは、印刷されたフォーマットで伝送されたり、或るいは評価人がパフォーマーと直接会って、口頭でレポート内容を伝えることができる。望む場合、パフォーマーは、その評価のための付加的な料金を支払うことを頼まれる。評価は所望の形式がとられる。例えばパフォーマーが歌を歌う場合、その評価は、（１）パフォーマーがキーを覚えているか、（２）歌声に“温か味”があるか、（３）歌声の独自性、（４）歌い手の発声法、（５）歌い手の手の動き、（６）歌い手の服装、（７）歌い手の顔の印象、（８）歌い手の髪型、必要であれば化粧、（９）歌い手の歌のペース、（１０）歌い手がどのように歌を終わらせたか、（１１）歌い手が望ましいムードで運んだか、に関するコメントを含むであろう。
【０２１７】
図５５は、本発明で用いられ得る視聴覚処理システムを示すフロー図である。
【０２１８】
遠隔ブースでの音声―ビデオ処理
ブース１０内のカメラ２１及びクロマキーコンピュータ背景ジェネレータ１４２からの高密度（ＨＤ）信号が、切替器／キー１９０に伝送され、次にフラッシュエンコーダー１９１に伝送される。切替器／キー１９０は、パフォーマンスが緑の背景の前で、ブース１０内のパフォーマンスを行いながら、ブース１０内にあってカメラ２１がキャプチャーする緑の背景のために、クロマキーコンピュータ背景ジェネレータ１４２に代替して機能する。
【０２１９】
ブース１０で歌ったり話したりするパフォーマ−によりプロデュースされた音は、マイク２で検出される。マイク２３は、マスターオーディオ・コンピュータ・サウンドカード１８７への信号を生成する。マスターオーディオ・コンピュータ・サウンドカード１８７は、音を圧縮し、音を均一化し、音に残響効果をもたせ、音パターンに遅れを組み込み、マルチバンドリミッタを含ませることができるコンピュータ１８８を含む。残響効果は、マイク２３が検出した音に追加され、ブース１０内のパフォーマーが歌っているときのみカード１８７に伝送される。パフォーマーが歌っている場合、大きな残響量があり得る。パフォーマ−が話している場合は、歌っているときよりも小さな残響であるのが普通であろう。しかしながら、誰かが話していることについて零の残響効果かもしれないということの可能性はある。ギターを演奏しる場合（それは良音を与えるモデラーにプラグする）、残響は必要でないケースもある。パフォーマーによって又は特有のコンテストのために使用されるブース経営者によって選択された（楽器及び／又はボーカルを含む）音楽やブース１０内の記録は、音楽コンピュータ１８９によってプロデュースされ、そしてカード１８７に伝送される。音楽コンピュータは、オーディオコンピュータ・サウンドカード１８９Ａを含む。カード１８７は、パフォーマーによるパフォーマンスの間、ブース１０のスピーカー１８６で音楽を演奏し、そしてパフォーマンスが記録された後、パフォーマンスの間に使用された音楽及びマイクが記録したパフォーマーの声を含むオーディオ信号を生成する。このオーディオ信号は、フラッシュエンコーダー１９１及びＭＰＥＧ２エンコーダー１９５に伝送される。オーディオ信号は、エンコーダーに伝送されることによって及びエンコーダー１９１からＭＰＥＧ２エンコーダーに単に渡されることによってＭＰＥＧ２エンコーダーに伝送されることもできる。ブース１０内のスピーカー１８６の一つは、ブース内の別のスピーカーと位相が不一致することが望ましい。ブース内のスピーカーは、高中間レンジ周波数をプロデュースする少なくとも１つの（好ましくは、少なくとも２つの）スピーカーを含み、且つ低レンジ周波数をプロデュースする少なくとも１つのスピーカー（subwuffer)を含む。通常、高中間レンジ周波数スピーカーの一つは、ブース内の少なくとも１つの他の高中間レンジ周波数スピーカーと位相が不一致する。これは、マイクの中への音のボリューム又は漏れを低減させ、ブース内のパフォーマーには伴奏音楽のボリュームを相当低くするようにおもわせない。
【０２２０】
フラッシュエンコーダー１９１は、１秒あたり約２１２メガバイトの書き込み速度に等しい１２８キロバイトクラスターで、ＲＡＩＤ０でストライプされる、４ギガＲＡＭ及び３０，０００ＲＰＭの５００ギガハードドライブを備えたクアッドコアプロセッサを持つエンコーダーのコンピュータとともに、Digital Rapids DRC5650トランスコードPC1Xカードを使用する。エンコーダー１９１は、フラッシュＯＮ2ＶＰ６ファイルに高密度ビデオ信号をエンコードすることができる。望むのであれば、音声及びビデオ信号を受信するフラッシュエンコーダー１９１として使用され得る他のソフトウェア機器は、Adobe flash ソフトウェアプログラム及びCuCuSoftVideoコンバーターを含む。
【０２２１】
フラッシュエンコーダー１９１は、顧客のために将来のインターネット閲覧用に記憶されるコンピュータ・サーバに伝送される１５００ＫＢＰＳ（１秒あたりのキロバイト）フラッシュファイル１９２をプロデュースする。ファイル１９２は８２０×４６０ピクセルである。ブース１０内、及び本発明のシステムの他の場所でプロデュースされた本ファイル及び他のファイルにおけるピクセル数は、上述したように変更することができる。エンコーダー１９１は、インターネットの使用のためにコンピュータ・サーバに伝送される６００ＫＢＰＳフラッシュファイル１９３をプロデュースする。フラッシュファイル１９３は、５３５×３００ピクセルである。ＨＤ（高密度）信号の一般に良く知られた密度は、１９２０×１０８０ピクセルである。
【０２２２】
エンコーダー１９１は、エンコーダー１９５に対する信号１９４をプロデュースすることができる。エンコーダー１９５は、４８０×２７０ピクセルであるＨ．２６４ファイル１９６をプロデュースし、そしてサーバーから携帯電話への伝送のためにコンピュータ・サーバに伝送する。エンコーダー１９８は、ブース１０内のパフォーマーによる各パフォーマンスのＤＶＤ２００をプロデュースするために、ＤＶＤバナー１９９に関連する。
【０２２３】
図５５に示す音声−ビデオ処理システムは、リアルタイムで処理を行ない、そしてパフォーマンスの終了後５〜１０分以内にエンコーダー１９１、１９５によってパフォーマンスを記録しサーバーに伝送することを許可する。
【０２２４】
記録ブース１０内で行なわれた音品質のキーの一つは、あるタイプの歌手にとって十分に広いイコライザー設定を見つけることである。歌手/音楽家/カラオケ音楽、及びホームレコーディングがそうであるように、ブースの音及びマイクの音は非常に変化するので、うまく洗練されたイコライザー設定を形成する一つの方法は、
１．狭いピックアップパターンでマイクを使うこと。それは、パフォーマーの声に加えて小さな割合のブース背景ノイズのみをひろう。例えば、そのようなマイクはShure Ksm27 コンデンサーマイク（登録商標）である。
２．UAD Vst Plug-in Cambridge（登録商標）又はWaves Vst Plug-in Rennasance イコライザー（登録商標）、又はハードウェアイコライザーなどのイコライザーを使うこと。
３．サウンドカードASIO（Audio Signal In & Out）１８７を使うこと。それは、ほぼ１２ｄBから１８dB（最小１２dB、最大１８dB）の範囲で作用するゲインアンプを許可するようにマイク信号を増幅する。言い換えると、ゲイン振幅の範囲は、１２ｄBから１８dBにセットされる。サウンドカードASIOデバイスの例は、Motu（登録商標）トラベラー、Motu（登録商標）８２８又はDegidesign Mbox（登録商標）を含む。サウンドカード１８７は、プリアンプとして機能し、それは、１つのゲインで、カードが多くの人々が交差することでプロデュースされる騒がしく又はソフトなボーカルを処理することができるように設定される。サウンドカードが１８dBで設定される場合、１８dB以下で入ってくるボーカルは、最大１８dBレベルになるようコントロールされる。２０dBマイク信号が入ってくるならば、サウンドカード１８７は、１８dB信号がカードの他の要素によって処理されるように入ってくることができるようにする。
４．Steinberg Cubase SX4（登録商標）、Nuendo3（登録商標）、Digital Performer（登録商標）のようなデジタルプラットフォームミキサーを使用すること。店で購入されたＣＤの平均ボリュームレベルに比較可能なボリュームレベルを実現するために用いられる。ＶＵメーターのみられる音楽及びボーカルの平均ボリュームは、音品質を補正したり歪めることなく高い。
【０２２５】
実現された音の品質に関する他の重要なことは、ブース内のスピーカーがプロデュースした音のうち、ブースマイクからのピックを最小化することである。ブースマイクによる音を拾うことは、漏れ（リーケージ）と広く呼ばれている。漏れは、全周波数サウンドをプロデュースする１以上のスピーカーを使用することによって最小化される。パフォーマンスの音声部分がブース内のマイクによって拾われた後、subwuffer部分はオーディオコンピュータ１８８のイコライザーによる記録から実質的にディップアウトされたり除去される。典型的には、subwufferサウンドの振幅の約５０〜８０％、望ましくは５０〜９０％が除去される。上述したように、漏れが最小化される別の方法は、高−中間レンジ周波数スピーカーの一つを設定することによって、他の高中間レンジ周波数スピーカーと位相を不一致にすることである。
【０２２６】
所望の品質の音を実現するためのさらに重要なことは、ブース１０内のパフォーマ−の音楽及びボーカルの両方のゲイン又はボリュームを、選択されたダイナミックレンジ内に自動的に平らにできるようにすることである。音楽は、パフォーマーが演奏する楽器によって、パフォーマーが提供するＣＤからプロデュースされ、そしてブース内のＣＤプレーヤー及びスピーカーを用いてブースで演奏される。或いは、コンピュータが提供した音楽をデジタル化し、そしてブース内のスピーカーで演奏される。パフォーマンスのボーカル部分に関するダイナミックレンジは、１０dBレンジを超えて拡大する。望ましくは８dBレンジ、最も望ましくは５dBレンジである。＋１０dB〜−４０dBのデジタルサウンドスケールで、上記パフォーマンスのボーカル部分に関するダイナミックレンジが、０dB〜−５dBではじまるスタートポイントから開始し、下方に広がる。
【０２２７】
その結果、パフォーマンスのボーカル部分に関する選択されたダイナミックレンジが８dBであり、そしてデジタルサウンドボリュームスケールの選択された開始ポイントが−２dbであるならば、パフォーマンスのボーカル部分に関するダイナミックレンジは−２dB〜−１０dBまで広がるだろう（すなわち、８dBを超えてひろがる）。或いは、パフォーマンスのボーカル部分に関する選択されたダイナミックレンジが５dBであり、そしてデジタルサウンドボリュームスケールの選択された開始ポイントが０dbであるならば、パフォーマンスのボーカル部分に関するダイナミックレンジは０dB〜−５dBまで広がるだろう
【０２２８】
ダイナミックレンジがパフォーマンスのボーカル部分のために選択されると、音楽に対するダイナミックレンジは、ボーカル部分に等しいのが一般的である。声はトラック(track)よりも大きな３dBから４dBであるのが普通である。パフォーマ−のためにこのダイナミックレンジ基準をあわせることは、殆どのケースで容易に実現される。しかしながら、パフォーマ−が非常にソフトに歌っているような特殊のケースがあるが、その場合は難しく、特にスピーキングでは、指定されたダイナミックレンジの範囲内にすることは不可能である。音楽部分のダイナミックレンジが最初に選択される場合、パフォーマンスのボーカル部分のためのダイナミックレンジは、一般的に等しい。例えば、パフォーマンスのボーカル部分のための選択されたダイナミックレンジが６dBである場合、デジタルサウンドボリュームのスケールにおける選択された開始ポイントが−３dBである場合、そしてボーカル部分のダイナミックレンジが−３dB〜−９dBまで広がる場合、パフォーマンスの音楽部分のための選択されたダイナミックレンジは６dBであり、デジタルサウンドボリュームのスケールにおける選択された開始ポイントは−３dBであり、そして音楽のためのダイナミックレンジは−３dB〜−９dBまでひろがる。
【０２２９】
重要なのは、殆どの場合、ボーカルは音楽よりも大きな少なくともほぼ３dB〜４dBであり、幾つかの極端なケースにおいて、ボーカルは音楽よりも大きな最大１０dBとなり得る。音楽は、普通、パフォーマンスのボーカル部分よりも大きくない。騒がしさは、最初に歌われたときの計測され（パフォーマ−のボーカルの場合）、又は最初に演奏されたり歌われたときに計測される（パフォーマ−と一緒に楽器又はボーカル音楽の場合）。
【０２３０】
ブース１０内で高品質のサウンドをプロデュースするための重要なことは、音楽から中間レンジの周波数を除去すること、又は音楽にある中間レンジの周波数の振幅を低減すること、そしてその後に等価な中間レンジの周波数を最終のボーカル音楽信号に組み込むことを含む。その結果、最終信号は、以下の３つの要素を含む。
（１）マイクで記録されたボーカル部分と、ボーカル部分における選択された振幅増加の中間レンジ周波数を含む。
（２）（パフォーマ−が演奏する楽器の場合）マイクによって記録され、若しくは演奏されるＣＤの場合にはブース内のオーディオシステムによって記録されたトラック（音楽又は減衰した中間レンジ周波数の振幅に付随する部分）、又はブース内のコンピュータによって提供された音楽。
（３）最終信号に組み込まれた選択された中間レンジ周波数。
【０２３１】
この点について適用される本発明の原理は、音楽において選択されたサウンド周波数を補正するために、ボーカルの選択されたサウンド周波数の振幅を調整するアイデアである。これは、パフォーマンスの音楽若しくはボーカルにおける或る周波数の振幅をただ変化することによって達成できる。例えば、ボーカルの中間レンジ周波数は、音楽における同様の中間レンジ周波数よりもかなり大きな振幅をもつことができる。これは、パフォーマンスの音楽（伴奏）部分における或る中間レンジ周波数の振幅を単に減少させることによって実現される。そして、上述したように、選択された中間レンジ（又は他の）周波数の振幅がパフォーマ−のボーカルに付随する音楽において減少されると、ボーカル周波数と伴奏周波数との間の競合を最小化するためにボーカルにおける選択された中間レンジ周波数の振幅が増加する。
【０２３２】
サウンドの所望の品質を達成するための重要なことは、ダイナミックレンジを狭くするために音楽トラックにVST Plugin（登録商標）コンプレッサーを追加することである。加えて、あなたは、さらにそのダイナミックレンジを狭くするために、ボーカルトラックにVST Plugin（登録商標）コンプレッサーを追加することができる。これらの）コンプレッサーのタイプは、これに限定するものではないが、Wave VST Plugin RVox（登録商標）、UAD VST Plugin Fairchild（登録商標）、UAD VST Plugin LA2A（登録商標）を含む。
【０２３３】
サウンドの所望の品質を達成するためのさらに重要なことは、残響及び遅延の組み合わせであり、そしてこれらの効果のＥＱはボーカルチャネルで送信され組み合わさる。この組み合わせは、あらゆるタイプの歌手に十分に作用するように伝搬される。残響に関する事前の遅延は、約１００〜１７５マイクロ秒であり、望ましくは約１２０〜１５５マイクロ秒、最も望ましくは約１２５〜１４５マイクロ秒である。特定の好ましい残響は、Wave VST Plugin Renaissance Reverbである。他には、Audio Ease VST Plugin by Altivervがある。特有の残響は、Beatmodel T1（登録商標）、plugin pack VST Plugin（登録商標）又はCubase VST Plugin（登録商標） built-in delayである。オートマチックなゲインコントロールは、Nueral Audioによって作られたWaves VST Plugin MaxVolume（登録商標）＆NeuStar（登録商標）を用いて実現される。
【０２３４】
本発明のブースの他の有利な点は、超高密度ファイルを小さなファイルに向けることができることであり、それはインターネットウェブサイトに伝送され、そして重いダウンロードや制限されたインターネット接続を考慮することなくユーザに伝送される。我々は、これらのファイルを、長い遅延もなく即時にそれらを閲覧することができる方法でプレイすることができる。これは、上述したエンコーダー１９１，１９５とともに実現される。
【０２３５】
ブース１０と一緒に用いられるウェブサイトは、ユーザがそのウェブサイトで多くのタスクを実現できるようにする。例えば、ユーザはかれらのコンピュータにフラッシュファイルをダウンロードすることなく、そのフラッシュファイルを閲覧することができる。ユーザは、他のサイトへいくプロファイルページを、サードパーティ編集をすることなくカスタマイズすることができる。ユーザは別のウェブサイトにいくことなく、ウェブサイト上で製品を販売することができる。
【０２３６】
本発明の好ましい実施例及びベストモードの実施例を上述してきたが、当業者であれば本発明を理解し、実施することができるであろう。
【図１】
2010512673.tif 000003
【図２】
2010512673.tif 000004
【図３】
2010512673.tif 000005
【図４】
2010512673.tif 000006
【図５】
2010512673.tif 000007
【図６】
2010512673.tif 000008
【図７】
2010512673.tif 000009
【図８】
2010512673.tif 000010
【図９】
2010512673.tif 000011
【図１０】
2010512673.tif 000012
【図１１】
2010512673.tif 000013
【図１２】
2010512673.tif 000014
【図１３】
2010512673.tif 000015
【図１４】
2010512673.tif 000016
【図１５】
2010512673.tif 000017
【図１６】
2010512673.tif 000018
【図１７】
2010512673.tif 000019
【図１８】
2010512673.tif 000020
【図１９】
2010512673.tif 000021
【図２０】
2010512673.tif 000022
【図２１】
2010512673.tif 000023
【図２２】
2010512673.tif 000024
【図２３】
2010512673.tif 000025
【図２４】
2010512673.tif 000026
【図２５】
2010512673.tif 000027
【図２６】
2010512673.tif 000028
【図２７】
2010512673.tif 000029
【図２８】
2010512673.tif 000030
【図２９】
2010512673.tif 000031
【図３０】
2010512673.tif 000032
【図３１】
2010512673.tif 000033
【図３２】
2010512673.tif 000034
【図３３】
2010512673.tif 000035
【図３４】
2010512673.tif 000036
【図３５】
2010512673.tif 000037
【図３６】
2010512673.tif 000038
【図３７】
2010512673.tif 000039
【図３８】
2010512673.tif 000040
【図３９】
2010512673.tif 000041
【図４０】
2010512673.tif 000042
【図４１−４２】
2010512673.tif 000043
【図４３】
2010512673.tif 000044
【図４４】
2010512673.tif 000045
【図４５】
2010512673.tif 000046
【図４６】
2010512673.tif 000047
【図４７】
2010512673.tif 000048
【図４８】
2010512673.tif 000049
【図４９】
2010512673.tif 000050
【図５０】
2010512673.tif 000051
【図５１】
2010512673.tif 000052
【図５２】
2010512673.tif 000053
【図５３】
2010512673.tif 000054
【図５４】
2010512673.tif 000055
【図５５】
2010512673.tif 000056
【国際調査報告】
2010512673.tif 000057